(57)【要約】  空調通信システム（１）は、第１室外機（２１０）と第２室外機（２２０）と制御装置（１００）とを備える。第１室外機（２１０）は、第１集中伝送線（ＣＬ１）を介して制御装置（１００）に接続され、第２集中伝送線（ＣＬ２）を介して第２室外機（２２０）に接続される。第１室外機（２１０）は、第２室外機（２２０）と通信されるデータであって、第２室外機（２２０）のアドレスと第１室外機（２１０）のアドレスとを含んだデータを、第１プロトコルに従って制御装置（１００）から受信し、データに含まれる第２室外機（２２０）のアドレスを宛先として、第１プロトコルと通信の信頼性が異なる第２プロトコルに従ってデータを送信する中継部を備える。第１室外機（２１０）は、中継部が送信したデータを受信し、宛先に基づいて第２集中伝送線（ＣＬ２）にデータを転送する転送部を備える。
2019186619.tif 000002
【特許請求の範囲】
【請求項１】
第１室外機と、第２室外機と、前記第１室外機及び前記第２室外機を制御する制御装置と、を備える空調通信システムであって、
前記第１室外機は、第１集中伝送線を介して前記制御装置に接続され、第２集中伝送線を介して前記第２室外機に接続され、かつ、内外伝送線を介して室内機に接続され、
前記制御装置は、前記第２室外機と通信されるデータであって、前記第２室外機のアドレスと、前記第２室外機に接続された前記第１室外機のアドレスと、を含んだ前記データを、前記第１室外機が通信に用いる第１プロトコルに従って、前記第１集中伝送線に送信する通信手段を備え、
前記第１室外機は、
前記制御装置の前記通信手段から前記第１室外機の前記アドレスを含んだ前記データを受信し、前記データの宛先を前記データに含まれた前記第２室外機の前記アドレスに変換してから、前記第１プロトコルと通信の信頼性が異なる第２プロトコルに従って前記データを送信する中継手段と、
前記中継手段が送信した前記データを受信し、前記第１室外機に接続された前記第２集中伝送線及び前記内外伝送線の内で、前記宛先に基づいて前記データの転送先と決定される前記第２集中伝送線に、前記データを転送する転送手段と、を備え、
前記第２室外機は、前記転送手段が前記第２集中伝送線に転送した前記データを、前記第２プロトコルに従って受信する通信手段を備える、
空調通信システム。
【請求項２】
前記第２室外機の前記通信手段は、前記第１プロトコルに従って前記制御装置に割り当てられた現実のアドレスと異なる、前記第２プロトコルに従った前記制御装置の仮想のアドレスを宛先として、前記制御装置と通信されるデータを、前記第２プロトコルに従って前記第２集中伝送線へ送信し、
前記第１室外機の前記転送手段は、前記第２集中伝送線から前記データを受信し、前記宛先に基づいて前記データを前記中継手段へ転送し、
前記第１室外機の前記中継手段は、前記中継手段が転送した前記データを前記第２プロトコルに従って受信し、前記仮想のアドレスである前記データの前記宛先を前記現実のアドレスに変換した後に、前記データを前記第１集中伝送線に前記第１プロトコルに従って送信し、
前記制御装置の前記通信手段は、前記中継手段が前記第１集中伝送線に送信した前記データを受信する、
請求項１に記載の空調通信システム。
【請求項３】
前記制御装置の前記通信手段は、前記室内機と通信されるデータであって、前記室内機のアドレスと、前記室内機に接続された前記第１室外機のアドレスと、を含んだデータを、前記第１プロトコルに従って、前記第１集中伝送線に送信し、
前記第１室外機の前記中継手段は、前記制御装置の前記通信手段から前記第１室外機の前記アドレスを含んだ前記データを受信し、前記データに含まれた前記室内機の前記アドレスを宛先として、前記第２プロトコルに従って前記データを送信し、
前記第１室外機の前記転送手段は、前記中継手段が送信した前記データを受信し、前記宛先に基づいて前記内外伝送線に前記データを転送し、
前記室内機は、前記転送手段が前記内外伝送線に転送した前記データを、前記第２プロトコルに従って受信する通信手段を備える、
請求項２に記載の空調通信システム。
【請求項４】
前記室内機の前記通信手段は、前記制御装置と通信されるデータを、前記制御装置の前記仮想のアドレスを宛先として、前記第２プロトコルに従って前記内外伝送線へ送信し、
前記第１室外機の前記転送手段は、前記内外伝送線から前記データを受信し、前記宛先に基づいて前記データを前記中継手段へ転送する、
請求項３に記載の空調通信システム。
【請求項５】
前記第１集中伝送線を介して前記制御装置に接続され、かつ、前記第２集中伝送線を介して前記第２室外機に接続された第３室外機をさらに備え、
前記第３室外機は、前記中継手段と前記転送手段とを備え、
前記制御装置は、前記第１室外機及び前記第３室外機の内で、前記仮想のアドレスを前記宛先とする前記データの転送を実行させる転送室外機を選択する選択手段をさらに備える、
請求項２から４のいずれか一項に記載の空調通信システム。
【請求項６】
前記中継手段は、前記転送手段と着脱可能に接続される、
請求項１から５のいずれか一項に記載の空調通信システム。
【請求項７】
第１集中伝送線を介して制御装置に接続された室外機であって、
第２集中伝送線を介して前記室外機である第１室外機と異なる第２室外機に接続され、かつ、内外伝送線を介して室内機に接続され、
前記第２室外機と通信されるデータであって、前記第２室外機のアドレスと、前記第２室外機に接続された前記第１室外機のアドレスと、を含んだ前記データを、前記制御装置が通信に用いる第１プロトコルに従って、前記第１集中伝送線から受信し、前記データの宛先を前記データに含まれた前記第２室外機の前記アドレスに変換してから、前記第１プロトコルと通信の信頼性が異なる第２プロトコルに従って前記データを送信する中継手段と、
前記中継手段が送信した前記データを受信し、前記第１室外機に接続された前記第２集中伝送線及び前記内外伝送線の内で、前記宛先に基づいて前記データの転送先と決定される前記第２集中伝送線に、前記データを転送する転送手段と、を備える、
室外機。
【請求項８】
第１室外機と、第２室外機と、前記第１室外機及び前記第２室外機を制御する制御装置と、を備える空調通信システムが実行する方法であって、
前記第１室外機は、第１集中伝送線を介して前記制御装置に接続され、第２集中伝送線を介して前記第２室外機に接続され、かつ、内外伝送線を介して室内機に接続され、
前記制御装置が、前記第２室外機と通信されるデータであって、前記第２室外機のアドレスと、前記第２室外機に接続された前記第１室外機のアドレスと、を含んだ前記データを、前記第１室外機が通信に用いる第１プロトコルに従って、前記第１集中伝送線に送信するステップと、
前記第１室外機が、前記制御装置から前記第１室外機の前記アドレスを含んだ前記データを受信し、前記データの宛先を前記データに含まれた前記第２室外機の前記アドレスに変換してから、前記第１プロトコルと通信の信頼性が異なる第２プロトコルに従って前記データを送信するステップと、
前記第１室外機が、前記送信されたデータを受信し、前記第１室外機に接続された前記第２集中伝送線及び前記内外伝送線の内で、前記宛先に基づいて前記データの転送先と決定される前記第２集中伝送線に、前記データを転送するステップと、
前記第２室外機が、前記第２集中伝送線に転送された前記データを、前記第２プロトコルに従って受信するステップと、を有する、
空調通信方法。
【請求項９】
第１集中伝送線を介して制御装置に接続された第１室外機が実行する方法であって、
前記第１室外機は、第２集中伝送線を介して前記第１室外機と異なる第２室外機に接続され、かつ、内外伝送線を介して室内機に接続され、
前記第２室外機と通信されるデータであって、前記第２室外機のアドレスと、前記第２室外機に接続された前記第１室外機のアドレスと、を含んだ前記データを、前記制御装置が通信に用いる第１プロトコルに従って、前記第１集中伝送線から受信し、前記データの宛先を前記データに含まれた前記第２室外機の前記アドレスに変換してから、前記第１プロトコルと通信の信頼性が異なる第２プロトコルに従って前記データを送信するステップと、
前記送信された前記データを受信し、前記第１室外機に接続された前記第２集中伝送線及び前記内外伝送線の内で、前記宛先に基づいて前記データの転送先と決定される前記第２集中伝送線に、前記データを転送するステップと、を有する、
空調通信方法。
【請求項１０】
第１室外機及び第２室外機を制御する制御装置に第１集中伝送線を介して接続され、かつ、第２集中伝送線を介して前記第２室外機に接続された前記第１室外機のコンピュータを、
前記第２室外機の制御に用いるデータであって、前記第２室外機のアドレスと、前記第２室外機に接続された前記第１室外機のアドレスと、を含んだ前記データを、前記第１室外機が通信に用いる第１プロトコルに従って、前記第１集中伝送線から受信し、前記データの宛先を前記データに含まれた前記第２室外機の前記アドレスに変換してから、前記第１プロトコルと通信の信頼性が異なる第２プロトコルに従って前記データを送信する中継手段、として機能させる、
プログラム。
【発明の詳細な説明】
【技術分野】
【０００１】
本発明は、空調通信システム、室外機、空調通信方法、及び、プログラムに関する。
【背景技術】
【０００２】
従来から、複数の室外機と、複数の室内機と、当該複数の室外機及び室内機を制御する集中制御ユニットと、を備えるシステムが知られている（例えば、特許文献１参照）。このシステムの複数の室外機は、集中制御ユニットと集中伝送線で通信可能に接続されており、かつ、複数の室内機の１つ以上と内外伝送線で通信可能に接続されている。このシステムは、通信の信頼性を向上させるため、集中伝送線の接続方式をディジーチェーン（daisy chain）方式とし、バス（bus）方式で接続される内外伝送線とディジーチェーン方式の集中伝送線との間でデータ中継を行うゲートウェイをさらに備えている。
【先行技術文献】
【特許文献】
【０００３】
【特許文献１】特許第４１６５５８１号公報
【発明の概要】
【発明が解決しようとする課題】
【０００４】
しかしながら、特許文献１に開示されたシステムのゲートウェイは、ディジーチェーン方式の集中伝送線とバス方式の内外伝送線との間でしかデータ中継を行わない。このため、ディジーチェーン方式と異なる方式のまま存置された既存の集中伝送線及び既存の集中伝送線にのみ接続された室外機が存在する場合には、集中制御ユニットは、既存の集中伝送線にのみ接続された室外機と通信できなかった。このため、特許文献１のシステムでは、既存の集中伝送線を流用できないため、全ての集中伝送線の接続方式をディジーチェーン方式に変更しなければならず、コストの増加を抑制できなかった。【０００５】
本発明は、上記実情に鑑みてなされたものであり、その目的とするところは、コストの増加を抑制しながら通信の信頼性を向上できる空調通信システム、室外機、空調通信方法、及び、プログラムを提供することにある。
【課題を解決するための手段】
【０００６】
上記目的を達成するため、本発明に係る空調通信システムは、
第１室外機と、第２室外機と、前記第１室外機及び前記第２室外機を制御する制御装置と、を備える空調通信システムであって、
前記第１室外機は、第１集中伝送線を介して前記制御装置に接続され、第２集中伝送線を介して前記第２室外機に接続され、かつ、内外伝送線を介して室内機に接続され、
前記制御装置は、前記第２室外機と通信されるデータであって、前記第２室外機のアドレスと、前記第２室外機に接続された前記第１室外機のアドレスと、を含んだ前記データを、前記第１室外機が通信に用いる第１プロトコルに従って、前記第１集中伝送線に送信する通信手段を備え、
前記第１室外機は、
前記制御装置の前記通信手段から前記第１室外機の前記アドレスを含んだ前記データを受信し、前記データの宛先を前記データに含まれた前記第２室外機の前記アドレスに変換してから、前記第１プロトコルと通信の信頼性が異なる第２プロトコルに従って前記データを送信する中継手段と、
前記中継手段が送信した前記データを受信し、前記第１室外機に接続された前記第２集中伝送線及び前記内外伝送線の内で、前記宛先に基づいて前記データの転送先と決定される前記第２集中伝送線に、前記データを転送する転送手段と、を備え、
前記第２室外機は、前記転送手段が前記第２集中伝送線に転送した前記データを、前記第２プロトコルに従って受信する通信手段を備える。
【発明の効果】
【０００７】
本発明に係る空調通信システム、室外機、空調通信方法、及び、プログラムによれば、コストの増加を抑制しながら通信の信頼性を向上できる。
【図面の簡単な説明】
【０００８】
【図１】本発明の実施の形態１に係る空調通信システムの一構成例を表す図
【図２】制御装置のハードウェア構成の一例を表す図
【図３】制御装置が実行する選択処理の一例を表すフローチャート
【図４】実施の形態１に係る制御装置が有する機能の一例を表す機能ブロック図
【図５】制御装置が記憶するアドレステーブルの一例を表す図
【図６】制御装置が実行する制御処理の一例を表すフローチャート
【図７】第１室外機のハードウェア構成の一例を表す図
【図８】第１室外機が備える筐体の一例を表す図
【図９】中継部のハードウェア構成の一例を表す図
【図１０】中継部が備える接続端子の一例を表す図
【図１１】実施の形態１に係る中継部が実行する第１中継処理の一例を表すフローチャート
【図１２】転送部のハードウェア構成の一例を表す図
【図１３】制御基板のハードウェア構成の一例を表す図
【図１４】転送部が実行する転送処理の一例を表すフローチャート
【図１５】第２室外機のハードウェア構成の一例を表す図
【図１６】中継部が実行する第２中継処理の一例を表すフローチャート
【図１７】室内機のハードウェア構成の一例を表す図
【図１８】実施の形態２に係る制御装置が有する機能の一例を表す機能ブロック図
【図１９】実施の形態２に係る制御装置が実行する調査処理の一例を表すフローチャート
【図２０】第１室外機が実行するアドレス割当処理の一例を表すフローチャート
【図２１】第１室外機が記憶するアドレス変換テーブルの一例を表す図
【図２２】実施の形態３に係る中継部が実行する第１中継処理の一例を表すフローチャート
【発明を実施するための形態】
【０００９】
（実施の形態１）
以下、本発明の実施の形態１に係る空調通信システム１について、添付図面を参照しつつ説明する。
【００１０】
図１に示す空調通信システム１は、例えば、オフィスビルに設置される。空調通信システム１は、オフィスビルに設置された空気調和機（以下、空調機という）を制御する制御装置１００を備える。
【００１１】
また、空調通信システム１は、制御装置１００によって制御される空調機に含まれる室外機であって、ビル内の空気の温度及び湿度を調整するために用いられる冷媒を加熱又は冷却する第１室外機２１０から第５室外機２５０を備える。
【００１２】
また、空調通信システム１は、制御装置１００によって制御される空調機に含まれる室内機であって、第１室外機２１０によって不図示の冷媒配管内を循環させられる冷媒を用いてオフィスビル内の空気の温度及び湿度を調整する室内機３１１及び３１２を備える。同様に、空調通信システム１は、冷媒配管を介して第２室外機２２０に接続された室内機３２１及び３２２、並びに、第５室外機２５０に接続された室内機３５１を備える。
【００１３】
制御装置１００と、第１室外機２１０、第３室外機２３０、及び、第５室外機２５０と、は、集線装置であるハブＨＢに一端が接続された第１集中伝送線ＣＬ１の他端と接続されている。このため、制御装置１００と、第１室外機２１０、第３室外機２３０、及び、第５室外機２５０と、は、ツリー接続されており、例えば、イーサネット（登録商標）である第１プロトコルに従って通信を行う。
【００１４】
第１室外機２１０から第４室外機２４０は、第１集中伝送線ＣＬ１と異なる第２集中伝送線ＣＬ２にバス接続されており、第１プロトコルと異なる第２プロトコルに従って通信を行う。
【００１５】
第１集中伝送線ＣＬ１を介した通信で用いられる第１プロトコルは、第２集中伝送線ＣＬ２を介した通信で用いられる第２プロトコルよりも通信の信頼性が高いプロトコルである。第１集中伝送線ＣＬ１は、第２集中伝送線ＣＬ２を用いた通信の信頼性を向上させることを目的として、第２集中伝送線ＣＬ２の敷設よりも後に敷設されたためである。
【００１６】
ここで、第１集中伝送線ＣＬ１を介して第１室外機２１０、第３室外機２３０、及び、第５室外機２５０に接続されたハブＨＢは、例えば、スイッチングハブである。ハブＨＢは、制御装置１００からデータを受信すると、例えば、転送対象とするデータのヘッダ部に格納されたアドレスを読み取り、制御装置１００、第１室外機２１０、第３室外機２３０、及び、第５室外機２５０に接続された４本の第１集中伝送線ＣＬ１の内で、読み取ったアドレスが割り当てられた室外機に接続された１本の第１集中伝送線ＣＬ１にのみデータを転送する。このため、第１室外機２１０に接続された第１集中伝送線ＣＬ１には、第１室外機２１０を宛先としたデータのみが転送される。同様に、第３室外機２３０に接続された第１集中伝送線ＣＬ１には、第３室外機２３０を宛先としたデータのみが転送され、第５室外機２５０に接続された第１集中伝送線ＣＬ１には、第５室外機２５０を宛先としたデータのみが転送される。
【００１７】
これに対して、第２集中伝送線ＣＬ２には、第２集中伝送線ＣＬ２に接続された第１室外機２１０から第４室外機２４０、並びに、第１室外機２１０又は第２室外機２２０に接続された室内機３１１、３１２、３２１、及び、３２２を宛先としたデータが送信される。このため、第１室外機２１０は、第１室外機２１０若しくは第１室外機２１０に接続された室内機３１１又は３１２を宛先としたデータだけでなく、第２室外機２２０から第４室外機２４０、並びに、第２室外機２２０に接続された室内機３２１及び３２２を宛先としたデータも、第２集中伝送線ＣＬ２から受信する。同様に、第２室外機２２０は、第２室外機２２０若しくは室内機３２１又は３２２を宛先としたデータだけでなく、第１室外機２１０、第３室外機２３０、及び、第４室外機２４０、並びに、第１室外機２１０に接続された室内機３１１及び３１２を宛先としたデータも受信する。第３室外機２３０及び第４室外機２４０も同様である。
【００１８】
このように、第２集中伝送線ＣＬ２を用いた通信よりも、転送されるデータ量を削減し、データ受信により生じる処理負荷を軽減させることを目的として、第２集中伝送線ＣＬ２の敷設よりも後に、第１集中伝送線ＣＬ１が敷設された。
【００１９】
第１室外機２１０と、室内機３１１及び３１２と、は、内外伝送線ＩＬを介してバス接続されており、第２プロトコルに従って通信を行う。同様に、第２室外機２２０と、室内機３２１及び３２２と、は、内外伝送線ＩＬを介して接続されており、第２プロトコルに従って通信を行う。また同様に、第５室外機２５０と室内機３５１とは、内外伝送線ＩＬを介して接続されており、第２プロトコルに従って通信を行う。
【００２０】
制御装置１００は、図２に示すような、プログラムを実行するＣＰＵ（Central Processing Unit）１０１、プログラムを保存するＲＯＭ（Read Only Memory）１０２及びフラッシュメモリ１０３、プログラムの実行時にワークエリアとして使用されるＲＡＭ（Random Access Memory）１０４を備える。
【００２１】
また、制御装置１００は、図１の第１集中伝送線ＣＬ１に接続され、第１プロトコルに従ったデータ通信を行う通信回路１０５を備える。通信回路１０５は、本発明に係る制御装置が備える通信手段の一例である。
【００２２】
さらに、制御装置１００は、ＣＰＵ１０１から出力された信号に基づいて画像を描画し、描画された画像を表す画像信号を出力するビデオカード１０６と、画像信号に基づいて画像を表示するＬＣＤ（Liquid Crystal Display）１０７と、を備える。またさらに、制御装置１００は、ユーザの操作に応じた信号を入力するタッチパネル１０８を備える。
【００２３】
制御装置１００のＣＰＵ１０１は、起動すると、第１集中伝送線ＣＬ１と第２集中伝送線ＣＬ２とに接続された第１室外機２１０及び第３室外機２３０から、第１集中伝送線ＣＬ１と第２集中伝送線ＣＬ２との間でデータの転送をさせる室外機である転送室外機を１つ選択する、図３に示すような選択処理を実行する。これにより、ＣＰＵ１０１は、転送室外機を選択する、図４に示すような選択部１１０として機能する。選択部１１０は、本発明に係る選択手段の一例である。
【００２４】
制御装置１００が、第１集中伝送線ＣＬ１に接続されていない第２室外機２２０及び第４室外機２４０と通信するためには、制御装置１００が接続された第１集中伝送線ＣＬ１と、第２室外機２２０及び第４室外機２４０が接続された第２集中伝送線ＣＬ２と、の双方に接続された第１室外機２１０又は第３室外機２３０に、データ転送させる必要がある。また、第２集中伝送線ＣＬ２におけるトラヒックの増加を抑制し、かつ、制御装置１００と第２室外機２２０又は第４室外機２４０との通信に使用される通信帯域を低減するため、第１室外機２１０と第３室外機２３０とのどちらか一方にデータを転送させる必要がある。このため、選択部１１０は、第１室外機２１０又は第３室外機２３０のいずれか１つを転送室外機として選択する。
【００２５】
図２のフラッシュメモリ１０３は、第１集中伝送線ＣＬ１、第２集中伝送線ＣＬ２、及び、内外伝送線ＩＬを介した通信に用いられる情報を記憶する、図４の情報記憶部１９０として機能する。情報記憶部１９０は、例えば、ＭＡＣ（Media Access Control）アドレスといった第１プロトコルに従った通信に用いられる第１アドレスと、第２プロトコルに従った通信に用いられる第２アドレスと、が、予め保存された、図５のアドレステーブルを記憶している。
【００２６】
アドレステーブルには、第１室外機２１０の第１アドレス「XX:XX:XX:YY:00:10」及び第２アドレス「10」と、室内機３１１の第２アドレス「11」と、が対応付けられたデータが保存されている。同様に、アドレステーブルには、第１アドレス「XX:XX:XX:YY:00:10」及び第２アドレス「10」と、室内機３１２の第２アドレス「12」と、が対応付けられたデータが保存されている。第１室外機２１０は、第１集中伝送線ＣＬ１及び第２集中伝送線ＣＬ２に接続されており、かつ、内外伝送線ＩＬを介して室内機３１１及び３１２に接続されているからである。
【００２７】
また、アドレステーブルには、第２室外機２２０に第１アドレスが割り当てられていないことを表す「NULL」と、第２室外機２２０の第２アドレス「20」と、室内機３２１の第２アドレス「21」と、が対応付けられたデータが保存されている。同様に、アドレステーブルには、「NULL」及び「20」と、室内機３２２の第２アドレス「22」と、が対応付けられたデータが保存されている。第２室外機２２０は、第１集中伝送線ＣＬ１に接続されていないが、第２集中伝送線ＣＬ２に接続されており、かつ、内外伝送線ＩＬを介して室内機３２１及び３２２に接続されているからである。
【００２８】
さらに、アドレステーブルには、第３室外機２３０の第１アドレス「XX:XX:XX:YY:00:30」及び第２アドレス「30」と、第３室外機２３０に室内機が接続されていないことを表す「NULL」と、が対応付けられたデータが保存されている。
【００２９】
またさらに、アドレステーブルには、第４室外機２４０に第１アドレスが割り当てられていないことを表す「NULL」と、第４室外機２４０の第２アドレス「40」と、第４室外機２４０に室内機が接続されていないことを表す「NULL」と、が対応付けられたデータが保存されている。
【００３０】
また、アドレステーブルには、第５室外機２５０の第１アドレス「XX:XX:XX:YY:00:50」及び「NULL」と、室内機３５１の第２アドレス「51」と、が対応付けられたデータが保存されている。
【００３１】
図３の選択処理が開始されると、選択部１１０は、図５のアドレステーブルから室外機の第１アドレスと第２アドレスとが対応付けられたデータを複数取得する（ステップＳ０１）。次に、選択部１１０は、第１アドレスと第２アドレスとの双方が「NULL」でないため、第１アドレス及び第２アドレスを第１室外機２１０と第３室外機２３０とが有すると判別する。つまり、選択部１１０は、第１室外機２１０と第３室外機２３０とが第１集中伝送線ＣＬ１及び第２集中伝送線ＣＬ２の双方に接続されていると判別する。その後、選択部１１０は、第１室外機２１０と第３室外機２３０との内で、より第２アドレスの値が小さい第１室外機２１０を転送室外機として選択する（ステップＳ０２）。
【００３２】
その後、選択部１１０は、第１室外機２１０を転送室外機として選択したことを通知する選択通知を、第１プロトコルで用いられる第１データプロトコルに従ったデータフォーマットに基づいて生成する。次に、選択部１１０は、生成した選択通知に対し、第１室外機２１０の第１アドレスと第２アドレスとを追加する。例えば、選択部１１０は、第１室外機２１０の第１アドレスを、選択通知のヘッダ部において、第１データプロトコルによって通信相手のアドレスが格納される範囲に追加し、選択通知のデータ部の予め定められた範囲に第２アドレスを追加すれば良い。選択部１１０は、選択通知を通信回路１０５へ出力し（ステップＳ０３）、通信回路１０５が、第１プロトコルで用いられる第１通信プロトコルに従った波形の信号で、選択通知を第１集中伝送線ＣＬ１へ送信した後に、選択処理の実行を終了する。
【００３３】
選択処理の終了後、制御装置１００のＣＰＵ１０１は、一定間隔で、第１室外機２１０から第５室外機２５０、並びに、室内機３１１、３１２、３２１、３２２、及び、３５１を制御する、図６に示すような制御処理を実行する。
【００３４】
説明を簡単にするため、先ず、第１室外機２１０に対する制御装置１００の制御、及び、第１室外機２１０の制御装置１００に対する応答について説明した後、第２室外機２２０から第５室外機２５０及び室内機３１１、３１２、３２１、３２２、及び、３５１の制御及び応答について順に説明する。
【００３５】
制御装置１００のＣＰＵ１０１は、第１室外機２１０に対して制御処理を実行することで、例えば、冷管温度といった第１室外機２１０の状態を表す状態データを取得する、図４の取得部１２０として機能する。また、ＣＰＵ１０１は、取得部１２０が取得した状態データに基づいて、例えば、省エネ効率が制御前よりも高い圧縮率で冷媒を圧縮させる制御といった第１室外機２１０に対する制御内容を決定する制御部１３０として機能する。
【００３６】
第１室外機２１０を制御するため、図６の制御処理の実行が開始されると、制御部１３０は、状態データの送信を求めるリクエストを第１データプロトコルに従って生成する。次に、制御部１３０は、第１室外機２１０の第１アドレスを、例えば、リクエストのヘッダに追加した後に、図２の通信回路１０５にリクエストを出力する（ステップＳ１１）。第１室外機２１０は、第１集中伝送線ＣＬ１に接続されているため、第１アドレスのみを用いて制御装置１００と通信できるからである。
【００３７】
次に、通信回路１０５が、第１通信プロトコルに従ってリクエストを第１集中伝送線ＣＬ１に送信した後に、第１室外機２１０の状態データを第１集中伝送線ＣＬ１から第１通信プロトコルに従って受信すると、図４の取得部１２０は、通信回路１０５から状態データを取得する（ステップＳ１２）。
【００３８】
その後、制御部１３０は、状態データを用いて第１室外機２１０の制御内容を決定する（ステップＳ１３）。次に、制御部１３０は、決定された制御内容を表す制御データを第１データプロトコルに従って生成する。その後、制御部１３０は、第１室外機２１０の第１アドレスを、リクエストと同様に、制御データに追加してから、図２の通信回路１０５に制御データを出力する（ステップＳ１４）。
【００３９】
その後、通信回路１０５が、制御データを第１集中伝送線ＣＬ１に送信した後に、制御部１３０は、制御処理の実行を終了する。
【００４０】
第１室外機２１０は、図７に示すような、冷媒を圧縮する圧縮機２１１と、冷媒が通過する冷管に設置され、冷媒の温度を計測する温度センサ２１２と、を備える。
【００４１】
また、第１室外機２１０は、第１集中伝送線ＣＬ１に接続されたゲートウェイである中継部２１６を備える。中継部２１６は、第１集中伝送線ＣＬ１から第１プロトコルに従って受信したデータのフォーマットを変換し、第２プロトコルに従って送信することで、プロトコル変換とデータ中継とを行う。中継部２１６は、本発明に係る第１室外機が備える中継手段の一例である。
【００４２】
さらに、第１室外機２１０は、第２集中伝送線ＣＬ２、内外伝送線ＩＬ、及び、制御基板２１９に接続されたブリッジである転送部２１７を備える。転送部２１７は、中継部２１６によって中継されたデータを、データの宛先に基づいて決定された転送先である第２集中伝送線ＣＬ２、内外伝送線ＩＬ、及び、制御基板２１９のいずれかに転送する。転送部２１７は、本発明に係る第１室外機が備える転送手段の一例である。
【００４３】
またさらに、第１室外機２１０は、温度センサ２１２の計測値に基づいて圧縮機２１１を制御する制御基板２１９を備える。中継部２１６、転送部２１７、及び、制御基板２１９は、風雨からの保護を目的として、図８に示すような筐体Ｂに格納されている。
【００４４】
中継部２１６は、図９に示すようなＣＰＵ２１６ａ、ＲＯＭ２１６ｂ、フラッシュメモリ２１６ｃ、ＲＡＭ２１６ｄ、及び、第１通信回路２１６ｅを備える。これらは、図２に示した制御装置１００のＣＰＵ１０１、ＲＯＭ１０２、フラッシュメモリ１０３、ＲＡＭ１０４、及び、通信回路１０５と同様の構成及び機能を有する。第１通信回路２１６ｅには、第１室外機２１０の第１アドレスが割り当てられている。
【００４５】
また、中継部２１６は、制御基板２１９に対して着脱可能に挿入される、図９及び１０に示すような、雄型の接続端子２１６ｌを備える。中継部２１６は、接続端子２１６ｌを介して制御基板２１９から供給されるバスパワーを用いて動作する。
【００４６】
さらに、中継部２１６は、転送部２１７に接続される雌型端子を一端に有し、かつ、他端に雌型端子を有する、図８に示すようなケーブルＣＢに対して、着脱可能に接続される雄型端子を有するコネクタ２１６ｎを備える。
【００４７】
中継部２１６のＣＰＵ２１６ａは、第１室外機２１０の第１アドレスを含む選択通知、リクエスト、又は、制御データといった中継対象のデータを、図９の第１通信回路２１６ｅが第１集中伝送線ＣＬ１から受信すると、中継対象のデータを中継する、図１１に示すような第１中継処理を実行する。
【００４８】
説明を簡単にするために、先ず、選択通知を第１通信回路２１６ｅが受信した場合に実行される第１中継処理について説明した後に、第１通信回路２１６ｅがリクエスト又は制御データを受信した場合に実行される第１中継処理について説明する。
【００４９】
第１中継処理の実行を開始すると、中継部２１６のＣＰＵ２１６ａは、第１通信回路２１６ｅから中継対象のデータである選択通知を取得する（ステップＳ２１）。次に、ＣＰＵ２１６ａは、中継対象のデータである選択通知に第２アドレスが含まれていると判別する（ステップＳ２２；Ｙｅｓ）。図３に示した制御処理において、選択通知に対して第１室外機２１０の第１アドレスと第２アドレスとが追加されたためである。
【００５０】
次に、ＣＰＵ２１６ａは、中継対象のデータのフォーマットを、第２プロトコルで用いられる第２データプロトコルに従ったフォーマットに変換する（ステップＳ２３）。その後、ＣＰＵ２１６ａは、フォーマットが変換された選択通知の宛先を、選択通知に含まれる第２アドレスとした後に（ステップＳ２４）、第２プロトコルで用いられる第２通信プロトコルに従った波形の信号で、図９のコネクタ２１６ｎに接続された転送部２１７に選択通知を送信した後に（ステップＳ２５）、第１中継処理の実行を終了する。
【００５１】
ステップＳ２２において、中継対象のデータに第２アドレスが含まれていないと判別された場合に（ステップＳ２２；Ｎｏ）、ＣＰＵ２１６ａが実行するステップＳ２６の説明は、第１通信回路２１６ｅがリクエスト又は制御データを受信した場合に実行される第１中継処理の説明と共に後述する。
【００５２】
転送部２１７は、図１２に示すようなＣＰＵ２１７ａ、ＲＯＭ２１７ｂ、フラッシュメモリ２１７ｃ、及び、ＲＡＭ２１７ｄを備える。これらは、図２に示した制御装置１００のＣＰＵ１０１、ＲＯＭ１０２、フラッシュメモリ１０３、及び、ＲＡＭ１０４と同様の構成及び機能を有する。
【００５３】
フラッシュメモリ２１７ｃは、転送部２１７を備える第１室外機２１０が転送室外機として選択されたか否かを表す選択フラグを記憶している。選択フラグは、起動時にＣＰＵ２１７ａによって、転送室外機として選択されていないことを表す値に初期化される。
【００５４】
さらに、転送部２１７は、第２集中伝送線ＣＬ２に接続され、第２プロトコルに従ったデータ通信を行う第２通信回路２１７ｆと、内外伝送線ＩＬに接続され、第２プロトコルに従ったデータ通信を行う内外通信回路２１７ｇと、を備える。
【００５５】
さらに、転送部２１７は、中継部２１６の接続端子２１６ｌと同様の構成及び機能を有する接続端子２１７ｍを備える。転送部２１７は、中継部２１６と同様に、接続端子２１７ｍを介して制御基板２１９から供給されるバスパワーを用いて動作する。
【００５６】
また、転送部２１７は、図８のケーブルＣＢに対して着脱可能に接続される雄型端子を有するコネクタ２１７ｎを備える。
【００５７】
またさらに、転送部２１７は、空調通信システム１の管理者によって設定された第１室外機２１０の第２アドレスを表す信号を入力するスイッチ２１７ｏを備える。
【００５８】
転送部２１７のＣＰＵ２１７ａは、コネクタ２１７ｎ及びケーブルＣＢを介して接続された中継部２１６から選択通知が送信されると、選択通知を受信し、フラッシュメモリ２１７ｃに記憶された選択フラグを、転送室外機として選択されたことを表す値に更新する。その後、転送部２１７を備える第１室外機２１０は、転送室外機として機能する。
【００５９】
次に、中継部２１６が第１集中伝送線ＣＬ１からリクエスト又は制御データを受信した場合に、中継部２１６が実行する、図１１の第１中継処理について説明を行う。
【００６０】
図６のステップＳ１１で出力されたリクエスト、又は、ステップＳ１４で出力された制御データを、図９に示した中継部２１６の第１通信回路２１６ｅが受信すると、ＣＰＵ２１６ａは、図１１のステップＳ２１の処理を実行した後に、中継対象のデータであるリクエスト又は制御データに第２アドレスが含まれていないと判別する（ステップＳ２２；Ｎｏ）。第１室外機２１０は、第１集中伝送線ＣＬ１に接続されているため、第１アドレスを用いれば、制御装置１００と通信できるからである。
【００６１】
その後、ＣＰＵ２１６ａは、接続端子２１６ｌを介して接続された制御基板２１９へ中継対象のデータであるリクエスト又は制御データを送信した後に（ステップＳ２６）、第１中継処理の実行を終了する。
【００６２】
制御基板２１９は、図１３に示すようなＣＰＵ２１９ａ、ＲＯＭ２１９ｂ、フラッシュメモリ２１９ｃ、及び、ＲＡＭ２１９ｄを備える。これらは、図２に示した制御装置１００のＣＰＵ１０１、ＲＯＭ１０２、フラッシュメモリ１０３、及び、ＲＡＭ１０４と同様の構成及び機能を有する。
【００６３】
また、制御基板２１９は、例えば、ケーブルによって、圧縮機２１１と通信可能に接続された第１入出力ポート２１９ｊと、温度センサ２１２と通信可能に接続された第２入出力ポート２１９ｋと、を備える。
【００６４】
さらに、制御基板２１９は、雌型端子を有し、中継部２１６の雄型の接続端子２１６ｌが着脱可能に挿入される第１バススロット２１９ｌと、雌型端子を有し、転送部２１７の接続端子２１７ｍが着脱可能に挿入される第２バススロット２１９ｍと、を備える。
【００６５】
制御基板２１９のＣＰＵ２１９ａは、中継部２１６が第１集中伝送線ＣＬ１から受信したリクエストを、第１バススロット２１９ｌを介して送信すると、リクエストに応答して、温度センサ２１２が計測した冷管温度を表すデータを、第２入出力ポート２１９ｋから取得し、取得した冷管温度を表すデータを状態データとする。
【００６６】
その後、ＣＰＵ２１９ａは、リクエストの送信元である制御装置１００の第１アドレスをフラッシュメモリ２１９ｃから読み出し、読み出した第１アドレスを状態データに追加した後に、第１バススロット２１９ｌを介して中継部２１６へ状態データを送信する。その後、中継部２１６は、状態データを、制御装置１００が接続された第１集中伝送線ＣＬ１に第１プロトコルに従って送信する。
【００６７】
状態データに基づいて制御装置１００が決定した制御内容を表す制御データは、リクエストと同様に、中継部２１６によって、制御装置１００から受信され、第１バススロット２１９ｌを介して制御基板２１９に送信される。制御基板２１９のＣＰＵ２１９ａは、制御データを受信し、受信した制御データに基づいて圧縮機２１１の運転を制御する信号を、圧縮機２１１が接続された第１入出力ポート２１９ｊに出力する。
【００６８】
第２室外機２２０から第５室外機２５０の構成及び機能の説明は、第２室外機２２０から第５室外機２５０に対する制御装置１００の制御の説明と共に後述する。同様に、室内機３１１、３１２、３２１、３２２、及び、３５１の構成及び機能の説明は、室内機３１１、３１２、３２１、３２２、及び、３５１に対する制御装置１００の制御の説明と共に後述する。
【００６９】
次に、第１集中伝送線ＣＬ１に接続されていないが、第２集中伝送線ＣＬ２に接続されている第２室外機２２０に対する制御装置１００の制御、及び、第２室外機２２０の制御装置１００に対する応答について説明する。
【００７０】
図４に示した制御装置１００の制御部１３０は、第２室外機２２０に対して、図６に示した制御処理の実行を開始すると、状態データの送信を求めるリクエストを生成する。次に、制御部１３０は、リクエストに対して、第２室外機２２０の第２アドレス「20」を最終的な宛先として追加し、かつ、第１室外機２１０の第１アドレス「XX:XX:XX:YY:00:10」を転送室外機のアドレスとして追加する。例えば、制御部１３０は、選択通知と同様に、第１室外機２１０の第１アドレスを、リクエストのヘッダ部において、第１データプロトコルによって通信相手のアドレスが格納される範囲に追加し、リクエストのデータ部の予め定められた範囲に第２室外機２２０の第２アドレスを追加すれば良い。その後、制御部１３０は、図２の通信回路１０５にリクエストを出力する（ステップＳ１１）。
【００７１】
次に、通信回路１０５が、第１集中伝送線ＣＬ１へリクエストを送信した後に、転送室外機に指定された第１室外機２１０は、後述する方法で、第２室外機２２０が接続された第２集中伝送線ＣＬ２にリクエストを転送する。
【００７２】
その後、第２室外機２２０がリクエストの応答として状態データを第２集中伝送線ＣＬ２へ送信した後に、第１室外機２１０は、後述する方法で、第１集中伝送線ＣＬ１に状態データを転送する。
【００７３】
制御装置１００の通信回路１０５が状態データを第１集中伝送線ＣＬ１から受信すると、ステップＳ１２及びＳ１３の処理が実行される（ステップＳ１２及びＳ１３）。これにより、状態データに基づいて第２室外機２２０の制御内容が決定される。
【００７４】
その後、制御部１３０は、決定された制御内容を表す制御データを生成する。次に、制御部１３０は、リクエストと同様に、第２室外機２２０の第２アドレス「20」を最終的な宛先として追加し、かつ、第１室外機２１０の第１アドレス「XX:XX:XX:YY:00:10」を転送室外機のアドレスとして制御データに追加する。次に、制御部１３０は、図２の通信回路１０５に制御データを出力した後に（ステップＳ１４）、制御処理の実行を終了する。
【００７５】
図９に示した第１室外機２１０が備える中継部２１６が、第１室外機２１０の第１アドレスを含むリクエストを第１通信回路２１６ｅで受信すると、中継部２１６のＣＰＵ２１６ａは、図１１に示した第１中継処理を実行する。これにより、ステップＳ２１からＳ２５が実行されることで、第２室外機２２０の第２アドレス「20」を宛先としたリクエストが、コネクタ２１６ｎを介して接続される転送部２１７に対して、第２プロトコルに従って送信される。
【００７６】
図１２に示した転送部２１７のＣＰＵ２１７ａは、コネクタ２１７ｎを介して接続される中継部２１６がリクエストの送信を開始すると、転送対象のデータであるリクエストの受信及び転送を行う、図１４に示すような転送処理を実行する。
【００７７】
転送処理の実行を開始すると、転送部２１７のＣＰＵ２１７ａは、転送対象のデータであるリクエストを受信する（ステップＳ３１）。次に、ＣＰＵ２１７ａは、リクエストの宛先が、第２室外機２２０の第２アドレス「20」であり、図１２のスイッチ２１７ｏに設定された自機の第２アドレス「10」と異なると判別する（ステップＳ３２；Ｎｏ）。
【００７８】
次に、ＣＰＵ２１７ａは、図１２のフラッシュメモリ２１７ｃから、自機に接続された室内機３１１及び３１２の第２アドレス「11」及び「12」を読み出す。その後、ＣＰＵ２１７ａは、リクエストの宛先が、第２室外機２２０の第２アドレス「20」であり、自機に接続された室内機３１１及び３１２の第２アドレス「11」及び「12」と異なると判別する（ステップＳ３３；Ｎｏ）。
【００７９】
その後、ＣＰＵ２１７ａは、図１２のフラッシュメモリ２１７ｃから、制御装置１００に対して仮想的に設定されたアドレスである第２アドレス「0」を読み出す。制御装置１００は、第１集中伝送線ＣＬ１に接続されているため、現実のアドレスである第１アドレス「XX:XX:XX:YY:00:01」が割り当てられているが、第２集中伝送線ＣＬ２に接続されていないため、第２アドレスが設定されない。しかし、第１集中伝送線ＣＬ１に接続されていないが、第２集中伝送線ＣＬ２に接続された第２室外機２２０は、第２プロトコルに従った第２アドレスを用いて、制御装置１００と通信する必要がある。このため、制御装置１００に対して仮想の第２アドレス「0」が設定されている。
【００８０】
次に、ＣＰＵ２１７ａは、リクエストである中継対象のデータの宛先が、第２室外機２２０の第２アドレス「20」であり、制御装置１００の仮想の第２アドレス「0」でないと判別する（ステップＳ３４；Ｎｏ）。このため、ＣＰＵ２１７ａは、リクエストの宛先が、第２集中伝送線ＣＬ２に接続された他の室外機である第２室外機２２０から第４室外機２４０、並びに、当該他の室外機の１つである第３室外機２３０に接続された室内機３２１及び３２２のいずれかであると判別する。
【００８１】
次に、ＣＰＵ２１７ａは、リクエストを中継部２１６から受信したため、中継部２１６によって第１集中伝送線ＣＬ１からリクエストが受信されたのであって、第２集中伝送線ＣＬ２から受信されたのではないと判別する（ステップＳ３５；Ｎｏ）。その後、ＣＰＵ２１７ａは、第２集中伝送線ＣＬ２に接続された、図１２の第２通信回路２１７ｆに中継対象のデータであるリクエストを出力する。次に、第２通信回路２１７ｆが、第２通信プロトコルに従った波形の信号でリクエストを第２集中伝送線ＣＬ２に転送した後に（ステップＳ３６）、ＣＰＵ２１７ａは、転送処理の実行を終了する。
【００８２】
ステップＳ３２において、宛先が自機の第２アドレスであると判別された場合に（ステップＳ３２；Ｙｅｓ）、ＣＰＵ２１７ａが実行するステップＳ３７の説明は、第２室外機２２０に対する制御装置１００の制御の説明と共に後述する。
【００８３】
ステップＳ３３において、宛先が自機に接続された室内機３１１又は３１２の第２アドレスであると判別された場合に（ステップＳ３３；Ｙｅｓ）、ＣＰＵ２１７ａが実行するステップＳ３８の説明は、室内機３１１又は３１２に対する制御装置１００の制御の説明と共に後述する。
【００８４】
ステップＳ３４において、宛先が制御装置１００の仮想の第２アドレスであると判別された場合に（ステップＳ３４；Ｙｅｓ）、ＣＰＵ２１７ａが実行するステップＳ３９及びＳ４０の説明は、制御装置１００に対する第２室外機２２０の応答の説明と共に後述する。
【００８５】
第２室外機２２０は、図１５に示すような圧縮機２２１、温度センサ２２２、転送部２２７、及び、制御基板２２９を備える。これらは、図７に示した第１室外機２１０の圧縮機２１１、温度センサ２１２、転送部２１７、及び、制御基板２１９と同様の構成及び機能を有する。しかし、第２室外機２２０は、第１室外機２１０が備える中継部２１６に相当する部を備えない。第２室外機２２０は、第１集中伝送線ＣＬ１に接続されていないからである。
【００８６】
第２室外機２２０の転送部２２７は、不図示のＣＰＵ、ＲＯＭ、フラッシュメモリ、ＲＡＭ、第２通信回路、内外通信回路、接続端子、コネクタ、及び、スイッチを備える。これらの構成は、図１２に示した第１室外機２１０の転送部２１７が備えるＣＰＵ２１７ａ、ＲＯＭ２１７ｂ、フラッシュメモリ２１７ｃ、ＲＡＭ２１７ｄ、第２通信回路２１７ｆ、内外通信回路２１７ｇ、接続端子２１７ｍ、コネクタ２１７ｎ、及び、スイッチ２１７ｏと同様の構成及び機能を有する。転送部２２７が備える第２通信回路は、本発明に係る第２室外機が備える通信手段の一例である。
【００８７】
第２室外機２２０の転送部２２７が備える不図示の第２通信回路が、第１室外機２１０によって転送されたリクエストを第２集中伝送線ＣＬ２から受信すると、転送部２２７の不図示のＣＰＵは、図１４に示した転送処理の実行を開始する。その後、ステップＳ３１が実行された後に、転送部２２７のＣＰＵは、リクエストの宛先が自機の第２アドレス「20」であると判別する（ステップＳ３２；Ｙｅｓ）。次に、転送部２２７のＣＰＵは、制御基板２２９に接続された不図示の接続端子を介して制御基板２２９にリクエストを転送した後に（ステップＳ３７）、転送処理の実行を終了する。
【００８８】
制御基板２２９の不図示のＣＰＵは、転送部２２７がリクエストを送信すると、第１室外機２１０と同様に、不図示のフラッシュメモリから、制御装置１００の仮想の第２アドレスを読み出し、仮想の第２アドレスを宛先とした状態データを転送部２２７に送信する。
【００８９】
転送部２２７の不図示のＣＰＵは、仮想の第２アドレスを宛先とした状態データを制御基板２２９から送信されると、図１４に示した転送処理を実行する。これにより、転送部２２７のＣＰＵは、ステップＳ３１から３３の処理を実行した後、転送対象のデータである状態データの宛先が、制御装置１００の仮想の第２アドレスであると判別する（ステップＳ３４；Ｙｅｓ）。
【００９０】
その後、転送部２２７のＣＰＵは、転送部２２７の不図示のフラッシュメモリから選択フラグを読み出し、転送部２２７を備える第２室外機２２０が転送室外機として選択されていないと判別する（ステップＳ３９；Ｎｏ）。次に、転送部２２７のＣＰＵは、転送室外機として選択された第１室外機２１０に状態データを転送するため、第２集中伝送線ＣＬ２へ状態データを転送した後に（ステップＳ３６）、転送処理の実行を終了する。
【００９１】
図１２に示した第１室外機２１０が備える転送部２１７のＣＰＵ２１７ａは、第２通信回路２１７ｆが状態データを第２集中伝送線ＣＬ２から受信すると、図１４に示した転送処理を実行する。
【００９２】
転送処理の実行を開始すると、ＣＰＵ２１７ａは、ステップＳ３１から３４の処理を実行することで、転送対象のデータである状態データの宛先が、制御装置１００の仮想的な第２アドレスであると判別する（ステップＳ３４；Ｙｅｓ）。
【００９３】
その後、転送部２１７のＣＰＵ２１７ａは、転送部２１７を備える第１室外機２１０が転送室外機として選択されていると判別すると（ステップＳ３９；Ｙｅｓ）、図１２のコネクタ２１７ｎを介して中継部２１６に状態データを転送した後に（ステップＳ４０）、転送処理の実行を終了する。
【００９４】
図９に示した第１室外機２１０が備える中継部２１６のＣＰＵ２１６ａは、転送部２１７が状態データを送信すると、状態データの中継を行う、図１６に示すような第２中継処理を実行する。
【００９５】
ＣＰＵ２１６ａは、第２中継処理の実行を開始すると、中継対象のデータである状態データを受信する（ステップＳ５１）。次に、ＣＰＵ２１６ａは、中継対象のデータのフォーマットを、第１データプロトコルに従ったフォーマットに変換する（ステップＳ５２）。次に、ＣＰＵ２１６ａは、状態データの宛先である制御装置１００の仮想の第２アドレスを、制御装置１００の現実の第１アドレスに変換する（ステップＳ５３）。その後、ＣＰＵ２１６ａは、図９の第１通信回路２１６ｅにフォーマット及び宛先のアドレスが変換された状態データを出力し、第１通信回路２１６ｅが第１通信プロトコルに従った波形の信号で状態データを第１集中伝送線ＣＬ１に送信してから（ステップＳ５４）、第２中継処理の実行を終了する。
【００９６】
第２室外機２２０の状態データに基づいて制御装置１００が決定した制御内容を表す制御データは、リクエストと同様に、第１室外機２１０によって第２集中伝送線ＣＬ２に転送される。第２室外機２２０の転送部２２７は、第２集中伝送線ＣＬ２から制御データを受信し、受信した制御データを制御基板２２９に転送する。制御基板２２９は、制御データに基づいて圧縮機２２１の運転を制御する。
【００９７】
第３室外機２３０及び第５室外機２５０は、第１室外機２１０と同様の構成及び機能を備える。つまり、第３室外機２３０及び第５室外機２５０は、不図示の圧縮機、温度センサ、中継部、転送部、及び、制御基板を備えている。第３室外機２３０の中継部は、本発明に係る第３室外機が備える中継手段の一例であり、第３室外機２３０の転送部は、本発明に係る第３室外機が備える転送手段の一例である。
【００９８】
第３室外機２３０及び第５室外機２５０に対する制御装置１００の制御、及び、第３室外機２３０及び第５室外機２５０の制御装置１００に対する応答は、第１室外機２１０に対する制御装置１００の制御、及び、第１室外機２１０の制御装置１００に対する応答と同様に行われる。第３室外機２３０及び第５室外機２５０は、第１室外機２１０と同様に、第１集中伝送線ＣＬ１に接続しているからである。
【００９９】
第４室外機２４０は、第２室外機２２０と同様の構成及び機能を備える。第４室外機２４０に対する制御装置１００の制御、及び、第４室外機２４０の制御装置１００に対する応答は、第２室外機２２０に対する制御装置１００の制御、及び、第２室外機２２０の制御装置１００に対する応答と同様に行われる。第４室外機２４０は、第２室外機２２０と同様に、第１集中伝送線ＣＬ１に接続しておらず、第２集中伝送線ＣＬ２に接続しているからである。
【０１００】
次に、第１室外機２１０に接続された室内機３１１に対する制御装置１００の制御、及び、室内機３１１の制御装置１００に対する応答について説明する。
【０１０１】
図４に示した制御装置１００の制御部１３０は、室内機３１１を制御するために、図６に示した制御処理の実行を開始すると、例えば、室内機３１１の設定温度及び吸込温度を表す状態データの送信を求めるリクエストを生成する。次に、制御部１３０は、リクエストに対して、室内機３１１の第２アドレス「11」を最終的な宛先として追加し、かつ、第１室外機２１０の第１アドレス「XX:XX:XX:YY:00:10」を転送室外機のアドレスとして追加する。その後、制御部１３０は、図２の通信回路１０５にリクエストを出力する（ステップＳ１１）。
【０１０２】
次に、通信回路１０５が、第１集中伝送線ＣＬ１へリクエストを送信した後に、転送室外機に指定された第１室外機２１０は、後述する方法で、室内機３１１が接続された内外伝送線ＩＬにリクエストを転送する。
【０１０３】
その後、室内機３１１が状態データを内外伝送線ＩＬへ送信した後に、第１室外機２１０は、後述する方法で、制御装置１００に接続された第１集中伝送線ＣＬ１に状態データを転送する。
【０１０４】
制御装置１００の通信回路１０５が状態データを第１集中伝送線ＣＬ１から受信すると、ステップＳ１２及びＳ１３の処理が実行される。これにより、状態データに基づいて室内機３１１の制御内容が決定される（ステップＳ１２及びＳ１３）。
【０１０５】
その後、制御部１３０は、決定された制御内容を表す制御データを生成した後に、室内機３１１の第２アドレス「11」を最終的な宛先として追加し、かつ、第１室外機２１０の第１アドレス「XX:XX:XX:YY:00:10」を転送室外機のアドレスとして制御データに追加する。次に、制御部１３０は、図２の通信回路１０５に制御データを出力した後に（ステップＳ１４）、制御処理の実行を終了する。
【０１０６】
図９に示した第１室外機２１０の中継部２１６が、第１室外機２１０の第１アドレス「XX:XX:XX:YY:00:10」を含むリクエストを第１通信回路２１６ｅで受信すると、中継部２１６のＣＰＵ２１６ａは、図１１に示した第１中継処理を実行する。これにより、ステップＳ２１からＳ２５が実行されることで、室内機３１１の第２アドレス「11」を宛先としたリクエストが、コネクタ２１６ｎを介して接続される転送部２１７へ第２プロトコルに従って送信される。
【０１０７】
図１２に示した転送部２１７のＣＰＵ２１７ａは、中継部２１６がリクエストの送信を開始すると、図１４に示した転送処理の実行を開始し、ステップＳ３１及びＳ３２の処理を実行する。その後、ＣＰＵ２１７ａは、図１２に示したフラッシュメモリ２１７ｃから、自機に接続された室内機３１１及び３１２の第２アドレス「11」及び「12」を読み出す。次に、ＣＰＵ２１７ａは、リクエストの宛先が、読み出した室内機３１１の第２アドレス「11」であると判別する（ステップＳ３３；Ｙｅｓ）。
【０１０８】
その後、ＣＰＵ２１７ａは、内外伝送線ＩＬに接続された、図１２の内外通信回路２１７ｇに中継対象のデータであるリクエストを出力する。次に、内外通信回路２１７ｇが、第２通信プロトコルに従った波形の信号でリクエストを、室内機３１１が接続された内外伝送線ＩＬに転送した後に（ステップＳ３８）、転送処理の実行を終了する。
【０１０９】
室内機３１１は、図１７に示すようなＣＰＵ３１１ａ、ＲＯＭ３１１ｂ、フラッシュメモリ３１１ｃ、ＲＡＭ３１１ｄ、及び、第２通信回路３１１ｆを備える。これらは、図２に示した制御装置１００のＣＰＵ１０１、ＲＯＭ１０２、フラッシュメモリ１０３、及び、ＲＡＭ１０４、並びに、図１２に示した第１室外機２１０の転送部２１７が備える第２通信回路２１７ｆと同様の構成及び機能を有する。第２通信回路３１１ｆには、室内機３１１の第２アドレス「11」が管理者によって設定されている。
【０１１０】
また、室内機３１１は、空気の吸い込み口に設置され、吸い込み口から吸い込まれる空気の温度を計測する温度センサ３１１ｐと、第１室外機２１０によって加熱又は冷却された冷媒を用いて加熱又は冷却した空気を吐出させるモータ３１１ｑと、を備える。
【０１１１】
室内機３１１のＣＰＵ３１１ａは、第２通信回路３１１ｆが内外伝送線ＩＬからリクエストを受信すると、温度センサ３１１ｐが計測した吸込温度を表すデータを取得し、フラッシュメモリ３１１ｃから設定温度を表すデータを読み出す。その後、ＣＰＵ３１１ａは、吸込温度及び設定温度を表すデータを状態データとする。
【０１１２】
その後、ＣＰＵ３１１ａは、リクエストの送信元である制御装置１００の仮想の第２アドレスをフラッシュメモリ３１１ｃから読み出し、読み出した仮想の第２アドレスを宛先として、状態データを第２通信回路３１１ｆに出力する。その後、第２通信回路３１１ｆは、状態データを、第１室外機２１０が接続された内外伝送線ＩＬに第２プロトコルに従って送信する。
【０１１３】
図１２に示した第１室外機２１０が備える転送部２１７は、内外伝送線ＩＬを介して接続される室内機３１１が状態データの送信を開始すると、図１４に示した転送処理を実行する。これにより、転送部２１７は、ステップＳ３１からＳ３４、Ｓ３９、及び、Ｓ４０の処理を実行することで、第１室外機２１０が備える中継部２１６へ状態データを転送する。
【０１１４】
その後、第１室外機２１０の中継部２１６は、図１６に示した第２中継処理を実行することで、制御装置１００が接続された第１集中伝送線ＣＬ１に状態データを送信する。
【０１１５】
第１室外機２１０によって転送された室内機３１１の状態データに基づいて制御装置１００が決定した制御内容を表す制御データは、リクエストと同様に、第１室外機２１０によって室内機３１１へ転送される。室内機３１１のＣＰＵ３１１ａは、第２通信回路３１１ｆが制御データを受信すると、制御データに基づいて、例えば、制御前よりも省エネ効率の高い回転数でモータ３１１ｑを回転させる制御信号を出力する。
【０１１６】
室内機３１２、３２１、３２２、及び、３５１は、室内機３１１と同様の構成及び機能を備える。室内機３１２に対する制御装置１００の制御、及び、室内機３１２の制御装置１００に対する応答は、室内機３１１に対する制御装置１００の制御、及び、室内機３１１の制御装置１００に対する応答と同様である。
【０１１７】
次に、第２室外機２２０に接続された室内機３２１に対する制御装置１００の制御、及び、室内機３２１の制御装置１００に対する応答について説明する。
【０１１８】
制御装置１００は、室内機３２１を制御するために、図６に示した制御処理を実行することで、室内機３２１の第２アドレスを最終的な宛先とし、かつ、第１室外機２１０の第１アドレスを転送室外機のアドレスとして含むリクエストを第１集中伝送線ＣＬ１に送信する。
【０１１９】
次に、転送室外機である第１室外機２１０は、第１室外機２１０の第１アドレスを含むリクエストを受信し、リクエストの宛先を室内機３２１の第２アドレスとして第２集中伝送線ＣＬ２へ転送する。その後、第２室外機２２０は、第２集中伝送線ＣＬ２からリクエストを受信し、室内機３２１が接続された内外伝送線ＩＬへリクエストを転送する。
【０１２０】
室内機３２１は、リクエストを内外伝送線ＩＬから受信すると、制御装置１００の仮想の第２アドレスを宛先とした状態データを内外伝送線ＩＬへ送信する。
【０１２１】
次に、第２室外機２２０は、内外伝送線ＩＬから状態データを受信し、転送室外機である第１室外機２１０が接続された第２集中伝送線ＣＬ２へ状態データを転送する。その後、第１室外機２１０は、第２集中伝送線ＣＬ２から状態データを受信し、状態データの宛先を仮想の第２アドレスから現実の第１アドレスに変換した後に、制御装置１００が接続された第１集中伝送線ＣＬ１へ状態データを転送する。
【０１２２】
室内機３２２に対する制御装置１００の制御、及び、室内機３２２の制御装置１００に対する応答は、室内機３２１に対する制御装置１００の制御、及び、室内機３２１の制御装置１００に対する応答と同様である。室内機３２２は、室内機３２１と同様に、第２室外機２２０に接続されているからである。
【０１２３】
室内機３５１に対する制御装置１００の制御、及び、室内機３５１の制御装置１００に対する応答は、室内機３１１に対する制御装置１００の制御、及び、室内機３１１の制御装置１００に対する応答と同様である。室内機３１１が、第１集中伝送線ＣＬ１に接続された第１室外機２１０に接続されているのと同様に、室内機３５１は、第１集中伝送線ＣＬ１に接続された第５室外機２５０に接続されているからである。
【０１２４】
最後に、第２室外機２２０と第１室外機２１０に接続された室内機３２１とのデータ通信について説明する。
【０１２５】
図１５に示した第２室外機２２０の制御基板２２９は、室内機３２１の第２アドレスを宛先とした通信データを転送部２２７へ出力する。転送部２２７は、図１４に示した転送処理のステップＳ３１からＳ３６の処理を実行することで、第２集中伝送線ＣＬ２へ通信データを転送する。
【０１２６】
図７に示した第１室外機２１０の転送部２１７は、図１４に示した転送処理のステップＳ３１からＳ３３及びＳ３８を実行することで、第２集中伝送線ＣＬ２から受信した通信データを、室内機３２１が接続された内外伝送線ＩＬへ転送する。室内機３２１は、内外伝送線ＩＬから通信データを受信する。
【０１２７】
室内機３２１が、第２室外機２２０の第２アドレスを宛先とした通信データを返信すると、図７に示した第１室外機２１０の転送部２１７は、図１４に示した転送処理のステップＳ３１からＳ３６を実行することで、通信データを第２集中伝送線ＣＬ２へ転送する。その後、第２室外機２２０は、第２集中伝送線ＣＬ２から通信データを受信する。
【０１２８】
これらの構成によれば、図７に示した第１室外機２１０の中継部２１６は、第１集中伝送線ＣＬ１と第２集中伝送線ＣＬ２との間でプロトコルの変換及びデータ転送を行う。このため、制御装置１００は、第１集中伝送線ＣＬ１に接続されていないが、第２集中伝送線ＣＬ２に接続されている第２室外機２２０及び第４室外機２４０と、第２室外機２２０及び第４室外機２４０が通信に用いる第２プロトコルよりも通信の信頼性が高い第１プロトコルに従って通信できる。さらに、図１５に示した第２室外機２２０の転送部２２７は、第２集中伝送線ＣＬ２と内外伝送線ＩＬとの間でデータ転送を行う。このため、制御装置１００は、第２室外機２２０に接続された室内機３２１及び３２２と、第１室外機２１０と第２室外機２２０とを介して第１プロトコルに従って通信できる。
【０１２９】
また、第２室外機２２０及び第４室外機２４０に接続された第２集中伝送線ＣＬ２を第１集中伝送線ＣＬ１に変更したり、第１集中伝送線ＣＬ１を介してデータ通信する中継部を第２室外機２２０及び第４室外機２４０に追加することで、制御装置１００と、第２室外機２２０及び第４室外機２４０と、の通信を可能とする場合と比べて、コストの増加を抑制できる。
【０１３０】
さらにこれらの構成によれば、図４に示した制御装置１００は、制御データに対して、第２室外機２２０の第２アドレスを最終的な宛先として追加し、かつ、第１室外機２１０の第１アドレスを転送室外機のアドレスとして追加した後に、制御データを第１集中伝送線ＣＬ１へ送信する。また、図７に示した第１室外機２１０の中継部２１６は、第１室外機２１０の第１アドレスを含んだ制御データを第１集中伝送線ＣＬ１から第１プロトコルに従って受信し、制御データに含まれた第２室外機２２０の第２アドレスを宛先として第２プロトコルに従って送信する。このため、中継部２１６は、制御データのプロトコルを変換すると共に、制御データに含まれる第２アドレスに制御データの宛先を変換すれば、制御データの最終的な宛先を検索したりすることなく、制御データを中継できる。よって、制御データを中継するために中継部２１６のＣＰＵ２１６ａが実行する処理量、及び、制御データの中継時にワークエリアとして機能するＲＡＭ２１６ｄの記憶容量を従来よりも少なくできるため、中継部２１６の製造コストを従来よりも削減できる。
【０１３１】
さらにこれらの構成によれば、図４に示した制御装置１００は、制御データに対して、第２室外機２２０の第２アドレスを最終的な宛先として追加し、かつ、第１室外機２１０の第１アドレスを転送室外機のアドレスとして追加する。このため、第１集中伝送線ＣＬ１及び第２集中伝送線ＣＬ２の双方に接続された第１室外機２１０及び第３室外機２３０の双方が制御データを転送する場合と比べて、制御データの転送により第２集中伝送線ＣＬ２に生じるトラヒック及び使用される通信帯域の増加を抑制できる。このため、同じ制御データが複数回に亘って第２集中伝送線ＣＬ２に送信されることを防止できるため、第２集中伝送線ＣＬ２に接続された第１室外機２１０から第４室外機２４０が制御データを受信するために実行する処理量の増加を抑制できる。
【０１３２】
これらの構成によれば、図７に示した第１室外機２１０の中継部２１６は、図１６に示した第２中継処理のステップＳ５３において、第２室外機２２０が送信した状態データの宛先を、制御装置１００の仮想の第２アドレスから現実の第１アドレスに変換する。このため、第２室外機２２０及び第２室外機２２０に接続された室内機３２１及び３２２は、第１集中伝送線ＣＬ１を介した通信で用いられる第１プロトコルに従うことなく、第２集中伝送線ＣＬ２及び内外伝送線ＩＬを介した通信で用いられる第２プロトコルに従って通信すれば、第１室外機２１０を介して制御装置１００と通信できる。
【０１３３】
これらの構成によれば、図４に示した制御装置１００の選択部１１０は、第１室外機２１０及び第３室外機２３０の内で、第２アドレスがより小さい第１室外機２１０を、制御装置１００の仮想の第２アドレスを宛先とする状態データの転送を実行させる転送室外機として選択する。このため、第１室外機２１０及び第３室外機２３０の双方が仮想の第２アドレスを宛先とする状態データを第１集中伝送線ＣＬ１へ転送する場合と比べて、状態データの転送により第１集中伝送線ＣＬ１に生じるトラヒック及び使用される通信帯域の増加を抑制できる。
【０１３４】
これらの構成によれば、図７に示した第１室外機２１０の中継部２１６は、図１３に示した第１室外機２１０の制御基板２１９が備える第１バススロット２１９ｌと着脱可能に接続される接続端子２１６ｌを備える。また、第１室外機２１０の中継部２１６は、第１バススロット２１９ｌと接続された接続端子２１６ｌを介して供給されるバスパワーを用いて動作する。さらに、第１室外機２１０の中継部２１６は、データの中継先の１つである第１室外機２１０の転送部２１７と着脱可能に接続されるコネクタ２１６ｎを備える。これらのため、第１室外機２１０の中継部２１６は、第１室外機２１０と着脱可能に搭載されるため、第１室外機２１０を第１集中伝送線ＣＬ１に接続させる必要性が無くなれば中継部２１６を容易に撤去できるし、第１集中伝送線ＣＬ１に接続させる必要性が再び生じれば、中継部２１６を容易に再搭載できる。
【０１３５】
（実施の形態１の変形例１）
実施の形態１では、図４に示した制御装置１００の選択部１１０は、第１室外機２１０及び第３室外機２３０の内で、第２アドレスがより小さい第１室外機２１０を転送室外機として選択すると説明したが、これに限定される訳ではない。選択部１１０は、第１室外機２１０及び第３室外機２３０の内で、第２アドレスがより大きい第３室外機２３０を転送室外機として選択してもよい。また、選択部１１０は、第１集中伝送線ＣＬ１及び第２集中伝送線ＣＬ２の双方に接続された３台以上の室外機の内で、最も小さい又は最も大きいアドレスが設定された室外機を、若しくは、ランダムに選択した１台の室外機を、転送室外機として選択しても良い。
【０１３６】
また、選択部１１０は、第１集中伝送線ＣＬ１及び第２集中伝送線ＣＬ２の双方に接続された複数の室外機の内で、接続された室内機の台数が最も少ない１台の室外機を転送室外機として選択しても良い。この構成によれば、接続された室内機の台数が少ない程、接続された室内機に転送するデータの量が少ないため、選択部１１０は、より少ない処理負荷が課された室外機を転送室外機として選択できる。
【０１３７】
またさらに、選択部１１０は、第１集中伝送線ＣＬ１及び第２集中伝送線ＣＬ２の双方に接続された複数の室外機の内で、接続された稼働中の室内機の台数が最も少ない１台の室外機を転送室外機として選択しても良い。この構成によれば、接続された稼働中の室内機の台数が少ない程、室内機の制御のために転送する制御データ及び状態データの量が少ないため、選択部１１０は、より少ない処理負荷が課された室外機を転送室外機として選択できる。
【０１３８】
（実施の形態１の変形例２）
実施の形態１では、最も小さい第２アドレスが設定された第１室外機２１０が、制御データを第１集中伝送線ＣＬ１から第２集中伝送線ＣＬ２へ転送し、かつ、状態データを第２集中伝送線ＣＬ２から第１集中伝送線ＣＬ１へ転送すると説明した。しかし、これに限定される訳では無く、制御データを転送させる室外機と、状態データを転送させる室外機と、を別にしても良い。つまり、例えば、最も大きい第２アドレスを設定された第３室外機２３０が、制御データを第１集中伝送線ＣＬ１から第２集中伝送線ＣＬ２へ転送し、かつ、最も小さい第２アドレスを設定された第１室外機２１０が、状態データを第２集中伝送線ＣＬ２から第１集中伝送線ＣＬ１へ転送しても良い。このために、制御装置１００は、図６のステップＳ１４において、制御データに対して、第２室外機２２０の第２アドレスを最終的な宛先として追加し、かつ、第３室外機２３０の第１アドレスを転送室外機のアドレスとして追加した後に、制御データを第１集中伝送線ＣＬ１に送信すれば良い。また、制御装置１００は、状態データを第１室外機２１０に転送させるために、図３のステップＳ０３と同様に、選択通知を第１室外機２１０へ送信すれば良い。
【０１３９】
また、最も小さい第２アドレスを設定された第１室外機２１０が、制御データを転送し、かつ、最も大きい第２アドレスを設定された第３室外機２３０が、状態データを転送しても良い。これらの構成によれば、制御データを転送する室外機と、状態データを転送する室外機と、が異なるため、転送処理で生じる負荷を分散できる。
【０１４０】
（実施の形態１の変形例３）
実施の形態１では、第１集中伝送線ＣＬ１及び第２集中伝送線ＣＬ２の双方に接続された第１室外機２１０及び第３室外機２３０の内で、制御装置１００の選択部１１０によって転送室外機として選択された第１室外機２１０が第１集中伝送線ＣＬ１と第２集中伝送線ＣＬ２との間で制御データ及び状態データを転送すると説明した。しかし、これに限定される訳ではなく、第１室外機２１０及び第３室外機２３０の双方が、第１集中伝送線ＣＬ１と第２集中伝送線ＣＬ２との間で制御データ及び状態データを転送しても良い。この構成によれば、制御装置１００が転送室外機を指定するのに要する処理負荷を軽減できる。
【０１４１】
（実施の形態１の変形例４）
実施の形態１では、図４に示した制御装置１００の選択部１１０は、第１室外機２１０を転送室外機として選択すると説明した。第１室外機２１０を転送室外機として選択した後、選択部１１０は、第１室外機２１０によるデータの転送の失敗を検知すると、転送室外機として第３室外機２３０を選択し直しても良い。
【０１４２】
このために、選択部１１０は、図６のステップＳ１１において、第１室外機２１０の第１アドレスを転送室外機のアドレスとして含み、かつ、第２室外機２２０の第２アドレスを最終的な宛先として含むリクエストが出力されてから一定時間が経過しても、第２室外機２２０の状態データを、図２の通信回路１０５が受信しない場合に、リクエストの転送が失敗したと判別しても良い。
【０１４３】
また、選択部１１０は、リクエストの転送が失敗したと判別すると、図３のステップＳ０２及びＳ０３の処理を再度実行することで、２番目に小さい第２アドレスが設定された第３室外機２３０を転送室外機として選択し、選択した第３室外機２３０に選択通知を送信しても良い。
【０１４４】
これらの構成によれば、選択部１１０は、転送室外機として選択された第１室外機２１０がデータ転送を失敗したと判別すると、転送室外機を第３室外機２３０に変更する。このため、第１集中伝送線ＣＬ１と第２集中伝送線ＣＬ２との間で従来よりも確実にデータを転送できる。
【０１４５】
（実施の形態１の変形例５）
実施の形態１では、第１プロトコルは、第２プロトコルよりも通信の信頼性が高いと説明したが、これに限定される訳ではない。第１プロトコルは、第２プロトコルと異なるプロトコルであれば、どのようなものでも良い。第１プロトコルは、例えば、第２プロトコルよりも通信帯域が広い特徴、通信速度が早い特徴、及び、通信の信頼性が高い特徴のいずれか１つ以上を有するプロトコルであっても良い。
【０１４６】
（実施の形態１の変形例６）
実施の形態１では、図９及び１２に示した第１室外機２１０の中継部２１６及び転送部２１７は、制御基板２１９に対して着脱可能に挿入される雄型の接続端子２１６ｌ及び２１７ｍを備えると説明した。また、図１３に示した制御基板２１９は、雌型端子を有する第１バススロット２１９ｌ及び第２バススロット２１９ｍを有すると説明した。しかし、これに限定される訳ではなく、接続端子２１６ｌ及び２１７ｍは、制御基板２１９に対して着脱可能に挿入される雄型の接続端子及び雌型の接続端子のいずれか１つ以上を備え、制御基板２１９は、雌型端子及び雄型端子のいずれか１つ以上を有する第１バススロット２１９ｌ及び第２バススロット２１９ｍを備えても良い。
【０１４７】
同様に、図９及び１２に示した第１室外機２１０の中継部２１６及び転送部２１７は、図８の雌型端子を有するケーブルＣＢに対して着脱可能に接続される雄型端子を有するコネクタ２１６ｎ及び２１７ｎを備えると説明した。しかし、これに限定される訳ではなく、中継部２１６及び転送部２１７は、雌型端子及び雄型端子のいずれか１つ以上を有するケーブルＣＢに対して着脱可能に接続される雄型端子及び雌型端子のいずれか１つ以上を有するコネクタ２１６ｎ及び２１７ｎを備えても良い。また、中継部２１６又は転送部２１７のいずれかは、ケーブルＣＢを備えていても良い。
【０１４８】
さらに、第１室外機２１０の中継部２１６と転送部２１７と制御基板２１９とは、ＵＳＢ（Universal Serial Bus）接続端子又は無線通信回路を備え、ＵＳＢ接続又は無線接続されても良い。
【０１４９】
（実施の形態１の変形例７）
実施の形態１では、第１室外機２１０の中継部２１６は、接続端子２１６ｌを介して制御基板２１９から供給されるバスパワーを用いて動作すると説明したが、これに限定される訳ではない。中継部２１６は、第１集中伝送線ＣＬ１によって供給されるパワー・オーバ・イーサネット（Power over Ethernet）を用いて動作しても良い。
【０１５０】
（実施の形態１の変形例８）
実施の形態１では、図１２に示した第１室外機２１０の転送部２１７が備えるフラッシュメモリ２１７ｃは、第１室外機２１０に接続された室内機３１１の第２アドレス及び室内機３１２の第２アドレスを予め記憶していると説明した。しかし、これに限定される訳ではなく、転送部２１７が備えるＣＰＵ２１７ａは、起動されたタイミング又は一定間隔のタイミングで、第１室外機２１０に内外伝送線ＩＬを介して接続された室内機３１１及び３１２の第２アドレスを調査する内外調査処理を実行するとしても良い。ＣＰＵ２１７ａは、内外調査処理の実行により、第１室外機２１０に接続された室内機３１１及び３１２の第２アドレスを調査し、調査により特定された室内機３１１及び３１２の第２アドレスをフラッシュメモリ２１７ｃに保存する、不図示の調査部として機能する。
【０１５１】
本変形例では、第２プロトコルに従って、第２アドレスは、「0」から「56」までの値に設定されるとして説明を行う。内外調査処理の実行が開始されると、調査部は、第２アドレス「1」を宛先とし、応答を求めるリクエストを内外通信回路２１７ｇに出力する。第２アドレス「0」は、制御装置１００に設定された仮想の第２アドレスだからである。
【０１５２】
次に、内外通信回路２１７ｇが内外伝送線ＩＬへリクエストを送信した後から一定の時間が経過するまでに応答を受信しないため、調査部は、自機である第１室外機２１０に接続された室内機３１１又は３１２に第２アドレス「1」が設定されていないと判別する。次に、調査部は、第２アドレスを値「1」だけ増加させてから、増加させた第２アドレスが、自機である第１室外機２１０の第２アドレス「10」となるまで、上記処理を繰り返す。
【０１５３】
その後、調査部は、第２アドレスを値「11」としてリクエストを出力した後に、内外通信回路２１７ｇが応答を受信したため、第１室外機２１０に接続された室内機３１１又は３１２に第２アドレス「11」が設定されていると判別し、第２アドレス「11」をフラッシュメモリ２１７ｃに保存する。同様に、調査部は、第２アドレス「12」をフラッシュメモリ２１７ｃに保存する。
【０１５４】
その後、調査部は、第２アドレスを値「13」としてから、第２アドレスの最大値「56」となるまで、上記処理を繰り返した後、内外調査処理の実行を終了する。
【０１５５】
これらの構成によれば、新たな室内機が第１室外機２１０に接続されても、当該接続された室内機に対するデータの転送を開始できる。また、室内機３１１又は３１２が接続されなくなると、室内機３１１又は３１２に対するデータの転送を終了できる。
【０１５６】
（実施の形態１の変形例９）
実施の形態１では、制御装置１００は、制御データを第１集中伝送線ＣＬ１に送信し、第１室外機２１０、第３室外機２３０、及び、第５室外機２５０は、制御データを第１集中伝送線ＣＬ１から受信すると説明した。また、第１室外機２１０は、室内機３１１又は３１２の第２アドレスが制御データに含まれていると、室内機３１１及び３１２に接続された内外伝送線ＩＬへ制御データを転送すると説明した。さらに、第５室外機２５０は、室内機３５１の第２アドレスが制御データに含まれていると、室内機３５１が接続された内外伝送線ＩＬへ制御データを転送すると説明した。しかし、制御装置１００が送信するデータ、並びに、第１室外機２１０及び第５室外機２５０が転送するデータは、制御データに限定される訳ではなく、通信されるデータであれば、どのようなデータであっても構わない。
【０１５７】
また、実施の形態１では、制御装置１００は、制御データを第１集中伝送線ＣＬ１に送信し、転送室外機である第１室外機２１０は、第１集中伝送線ＣＬ１から第２集中伝送線ＣＬ２へ制御データを転送し、第２室外機２２０及び第４室外機２４０は、制御データを第２集中伝送線ＣＬ２から受信すると説明した。また、第２室外機２２０は、室内機３２１又は３２２の第２アドレスが制御データに含まれていると、室内機３２１及び３２２に接続された内外伝送線ＩＬへ制御データを転送すると説明した。しかし、制御装置１００が送信するデータ、並びに、第１室外機２１０及び第２室外機２２０が転送するデータは、制御データに限定される訳ではなく、通信されるデータであれば、どのようなデータであっても構わない。
【０１５８】
さらに、実施の形態１では、第１室外機２１０は、第１室外機２１０の状態データ、並びに、内外伝送線ＩＬから受信した室内機３１１及び３１２の状態データを、制御装置１００に接続された第１集中伝送線ＣＬ１へ送信すると説明した。また、第３室外機２３０は、第３室外機２３０の状態データを第１集中伝送線ＣＬ１へ送信し、第５室外機２５０は、第５室外機２５０の状態データ、及び、内外伝送線ＩＬから受信した室内機３５１の状態データを第１集中伝送線ＣＬ１へ送信すると説明した。しかし、第１室外機２１０、第３室外機２３０、及び、第５室外機２５０が、制御装置１００に接続された第１集中伝送線ＣＬ１へ送信するデータは、状態データに限定される訳ではなく、通信されるデータであれば、どのようなデータであっても構わない。
【０１５９】
またさらに、実施の形態１では、第２室外機２２０は、第２室外機２２０の状態データ、並びに、内外伝送線ＩＬから受信した室内機３２１及び３２２の状態データを、第１室外機２１０に接続された第２集中伝送線ＣＬ２へ送信し、第１室外機２１０は、第２集中伝送線ＣＬ２から受信した状態データを、制御装置１００に接続された第１集中伝送線ＣＬ１へ転送すると説明した。同様に、第４室外機２４０は、第４室外機２４０の状態データを第２集中伝送線ＣＬ２へ送信し、第１室外機２１０は、第２集中伝送線ＣＬ２から第１集中伝送線ＣＬ１へ状態データを転送すると説明した。しかし、第１室外機２１０及び第２室外機２２０が転送するデータは、状態データに限定される訳ではなく、通信されるデータであれば、どのようなデータであっても構わない。
【０１６０】
（実施の形態１の変形例１０）
実施の形態１では、第１アドレスは、ＭＡＣアドレスであり、第２アドレスは、第１アドレスの割り当てに用いられた第１プロトコルと異なる第２プロトコルに従って設定されたアドレスであると説明したが、これに限定される訳ではない。第１アドレス及び第２アドレスは、例えば、ＩＰ（Internet Protocol）アドレスを含むどのようなアドレスであっても良い。
【０１６１】
（実施の形態２）
本実施の形態に係る制御装置１００のＣＰＵ１０１は、第１集中伝送線ＣＬ１に接続された第１室外機２１０、第３室外機２３０、及び、第５室外機２５０に対して、例えば、ＩＰ（Internet Protocol）といった通信アドレスを付与する、図１８に示すような付与部１４０として機能する。以下、本実施の形態と実施の形態１との相違点について主に説明する。
【０１６２】
付与部１４０は、例えば、ＩＰアドレスである通信アドレスの付与を求めるリクエストであって、リクエストの送信元が有する、例えば、ＭＡＣアドレスである第１アドレスを含んだリクエストを、図２の通信回路１０５が受信すると、送信元に付与する通信アドレスを決定する。次に、付与部１４０は、リクエストの送信元に付与する通信アドレスと、リクエストの送信元の第１アドレスと、を対応付けて、図１８の情報記憶部１９０に保存する。その後、付与部１４０は、決定した通信アドレスをリクエストの送信元に返信させる制御を通信回路１０５に行うことで、ＤＨＣＰ（Dynamic Host Configuration Protocol）サーバとして機能する。
【０１６３】
制御装置１００のＣＰＵ１０１は、一定間隔のタイミング、及び、付与部１４０が第１アドレスを付与したタイミングのいずれか１つ以上のタイミングで、空調通信システム１で使用される第１アドレス及び第２アドレスを調査する、図１９に示すような調査処理を実行する。これにより、ＣＰＵ１０１は、調査により空調通信システム１で使用されていると判別した第１アドレス及び第２アドレスを、図５のアドレステーブルに保存する、図１８に示すような調査部１５０として機能する。
【０１６４】
調査部１５０は、調査処理の実行を開始すると、付与部１４０によって保存された第１室外機２１０の第１アドレス「XX:XX:XX:YY:00:10」を情報記憶部１９０から読み出す。次に、調査部１５０は、第１アドレス「XX:XX:XX:YY:00:10」を含み、第１室外機２１０の第２アドレス、及び、第１室外機２１０に接続された室内機３１１及び３１２の第２アドレスの報告を求めるリクエストを通信回路１０５へ出力する（ステップＳ６１）。通信回路１０５は、リクエストの送信後、第１室外機２１０の第２アドレス「10」並びに室内機３１１及び３１２の第２アドレス「11」及び「12」を順に報告として受信する。
【０１６５】
その後、調査部１５０は、第１室外機２１０の第２アドレスが「10」であり、第１室外機２１０に第２アドレス「11」及び「12」が設定された室内機が接続されていると判別する。次に、調査部１５０は、図５のアドレステーブルに、第１室外機２１０の第１アドレス「XX:XX:XX:YY:00:10」及び第２アドレス「10」と、室内機３１１の第２アドレス「11」と、を対応付けたデータを保存する。同様に、調査部１５０は、第１アドレス「XX:XX:XX:YY:00:10」と第２アドレス「10」と、室内機３１２の第２アドレス「12」と、を対応付けたデータを、図５のアドレステーブルに保存する（ステップＳ６２）。
【０１６６】
同様に、調査部１５０は、第３室外機２３０の第１アドレス「XX:XX:XX:YY:00:30」を含むリクエストを通信回路１０５へ出力する。通信回路１０５は、リクエストの送信後に、第３室外機２３０から返信された第２アドレス「30」及び「NULL」を順に受信する。その後、調査部１５０は、「XX:XX:XX:YY:00:30」、「30」、及び、「NULL」を対応付けたデータを、図５のアドレステーブルに保存する。
【０１６７】
同様に、調査部１５０は、第５室外機２５０の第１アドレス「XX:XX:XX:YY:00:50」を含むリクエストを通信回路１０５へ出力する。通信回路１０５は、リクエストの送信後に、第５室外機２５０から返信された第２アドレス「NULL」及び「51」を順に受信する。その後、調査部１５０は、「XX:XX:XX:YY:00:50」、「NULL」、及び、「51」を対応付けたデータを、図５のアドレステーブルに保存する。
【０１６８】
その後、調査部１５０は、アドレステーブルに保存した第２アドレス「10」から「12」、「30」、及び、「51」と、制御装置１００の仮想の第２アドレス「0」と、を除く、未調査の第２アドレスが存在すると判別する（ステップＳ６３；Ｙｅｓ）。
【０１６９】
次に、調査部１５０は、最小の未調査の第２アドレス「1」を調査対象とする（ステップＳ６４）。本実施の形態では、第２プロトコルに従って、第２アドレスは、「0」から「56」までの値に設定されるからである。
【０１７０】
その後、調査部１５０は、リクエストに対して、調査対象の第２アドレス「1」を最終的な宛先として追加し、かつ、第１室外機２１０の第１アドレス「XX:XX:XX:YY:00:10」を転送室外機のアドレスとして追加した後に、リクエストを通信回路１０５へ出力する（ステップＳ６５）。
【０１７１】
通信回路１０５がリクエストを第１集中伝送線ＣＬ１に送信した後、第１集中伝送線ＣＬ１からリクエストを受信した第１室外機２１０が、調査対象の第２アドレス「1」を宛先としたリクエストを第２集中伝送線ＣＬ２へ転送する。しかし、第２アドレス「1」は、空調通信システム１で使用されていないため、通信回路１０５は、リクエストを送信した後から一定の時間が経過しても報告を受信しない（ステップＳ６６；Ｎｏ）。このため、調査部は、第２アドレス「1」が使用されていないと判別する。
【０１７２】
次に、調査部１５０は、ステップＳ６３から上記処理を繰り返す。その後、第２アドレス「20」が調査対象とされ（ステップＳ６４）、第２アドレス「20」を最終的な宛先として含み、かつ、第１室外機２１０の第１アドレス「XX:XX:XX:YY:00:10」を転送室外機のアドレスとして含むリクエストが出力される（ステップＳ６５）。
【０１７３】
通信回路１０５は、リクエストを送信した後に、第１室外機２１０がリクエストを転送する。リクエストを受信した第２室外機２２０が、第２室外機２２０に接続された室内機３２１及び３２２の第２アドレス「21」及び「22」を送信すると、第１室外機２１０が第２アドレス「21」及び「22」を転送する。その後、通信回路１０５は、リクエストを送信した後から一定時間以内に、第２アドレス「21」及び「22」を報告として受信する（ステップＳ６６；Ｙｅｓ）。
【０１７４】
その後、調査部１５０は、第２アドレス「20」が設定された室外機に対して、第２アドレス「21」及び「22」が設定された室内機が接続されていると判別する。次に、調査部１５０は、図５のアドレステーブルに、第２室外機２２０に第１アドレスが割り当てられていないことを表す「NULL」及び第２室外機２２０の第２アドレス「20」と、第２室外機２２０に接続された室内機３２１の第２アドレス「21」と、を対応付けたデータを保存する。同様に、調査部１５０は、「NULL」、「20」、及び、「22」を対応付けたデータをアドレステーブルに保存する（ステップＳ６７）。
【０１７５】
その後、調査部１５０は、上記処理を繰り返すことで、「NULL」、第４室外機２４０の第２アドレス「40」、及び、第４室外機２４０に室内機が接続されていないことを表す「NULL」を対応付けたデータをアドレステーブルに保存する。
【０１７６】
その後、調査部１５０は、未調査の第２アドレスが無いと判別すると（ステップＳ６３；Ｎｏ）、調査処理の実行を終了する。
【０１７７】
これらの構成によれば、空調通信システム１の拡張又は変更により、第１集中伝送線ＣＬ１、第２集中伝送線ＣＬ２、又は、内外伝送線ＩＬに接続される室外機又は室内機が変更されても、制御装置１００は、接続を変更された室外機又は室内機との通信を維持できる。
【０１７８】
（実施の形態３）
実施の形態１では、制御装置１００は、転送室外機である第１室外機２１０の第１アドレスと、制御対象とする第２室外機２２０の第２アドレスと、を含む制御データを、第１集中伝送線ＣＬ１へ送信すると説明した。また、実施の形態１では、転送室外機である第１室外機２１０は、第１集中伝送線ＣＬ１から制御データを受信し、制御データの宛先を第２室外機２２０の第２アドレスとしてから、第２室外機２２０が接続された第２集中伝送線ＣＬ２へ制御データを転送すると説明した。
【０１７９】
しかし、本実施の形態では、転送室外機である第１室外機２１０が、第２室外機２２０に対して第１プロトコルに従った仮想の第１アドレスを割り当て、制御装置１００は、第２室外機２２０の仮想の第１アドレスを含んだ制御データを、第１集中伝送線ＣＬ１へ送信する。転送室外機である第１室外機２１０は、第２室外機２２０の仮想の第１アドレスを含んだ制御データを受信し、制御データに含まれる仮想の第１アドレスに基づいて特定した現実の第２アドレスを制御データの宛先としてから、第２室外機２２０が接続された第２集中伝送線ＣＬ２へ制御データを転送する。以下、本実施の形態と実施の形態１との相違点について主に説明する。
【０１８０】
本実施の形態に係るハブＨＢは、制御装置１００からデータを受信すると、制御装置１００が接続された第１集中伝送線ＣＬ１、第１室外機２１０が接続された第１集中伝送線ＣＬ１、第３室外機２３０が接続された第１集中伝送線ＣＬ１、及び、第５室外機２５０が接続された第１集中伝送線ＣＬ１の全てに対してデータを転送する。
【０１８１】
図９に示した第１室外機２１０が備える中継部２１６の第１通信回路２１６ｅが、第１集中伝送線ＣＬ１から、転送室外機として第１室外機２１０が選択されたことを通知する選択通知を受信すると、中継部２１６のＣＰＵ２１６ａは、第１アドレスが割り当てられていない室外機及び室内機に仮想の第１アドレスを割り当てる、図２０に示すようなアドレス割当処理を実行する。
【０１８２】
アドレス割当処理の実行を開始すると、中継部２１６のＣＰＵ２１６ａは、例えば、「nmap」コマンドを実行する。これにより、ＣＰＵ２１６ａは、図１の第１集中伝送線ＣＬ１に接続された制御装置１００、第１室外機２１０、第３室外機２３０、及び、第５室外機２５０に割り当てられている第１アドレス「XX:XX:XX:YY:00:01」、「XX:XX:XX:YY:00:10」、「XX:XX:XX:YY:00:30」、及び、「XX:XX:XX:YY:00:50」を特定する（ステップＳ７１）。
【０１８３】
次に、中継部２１６のＣＰＵ２１６ａは、割り当て済みの第１アドレスを含み、当該第１アドレスが割り当てられた室外機の第２アドレスの報告を求めるリクエストを、図９に示した中継部２１６の第１通信回路２１６ｅへ出力する（ステップＳ７２）。
【０１８４】
第１アドレスが割り当てられている室外機は、第１集中伝送線ＣＬ１に接続された第１室外機２１０、第３室外機２３０、及び、第５室外機２５０であり、この内で、第２アドレスが設定されているのは、第２集中伝送線ＣＬ２にも接続されている第１室外機２１０及び第３室外機２３０である。このため、第１通信回路２１６ｅは、リクエストの送信後、第１室外機２１０の第２アドレス「10」と、第３室外機２３０の第３アドレス「30」と、を報告として受信する。
【０１８５】
その後、ＣＰＵ２１６ａは、第１室外機２１０の第２アドレス「10」と、第３室外機２３０の第３アドレス「30」と、を、第１通信回路２１６ｅから取得する。次に、ＣＰＵ２１６ａは、第２プロトコルに従って設定される「0」から「56」までの第２アドレスの内で、第１室外機２１０及び第３室外機２３０に設定されていることが明らかになった「10」及び「30」、並びに、制御装置１００に設定された仮想の第２アドレス「0」を除く、未調査の第２アドレスが存在するか否かを判別する（ステップＳ７３）。
【０１８６】
このとき、ＣＰＵ２１６ａは、未調査の第２アドレスが存在すると判別し（ステップＳ７３；Ｙｅｓ）、最小の未調査の第２アドレス「1」を調査対象とする（ステップＳ７４）。
【０１８７】
その後、ＣＰＵ２１６ａは、応答を求めるリクエストの宛先を調査対象の第２アドレス「1」として、図９のコネクタ２１６ｎを介して当該リクエストを転送部２１７へ出力する（ステップＳ７５）。
【０１８８】
転送部２１７は、図１４の転送処理を実行することで、リクエストの宛先に基づいて、当該リクエストを第２集中伝送線ＣＬ２に転送する。しかし、第２アドレス「1」は、空調通信システム１で使用されていないため、転送部２１７は、リクエストを送信した後から一定の時間が経過しても応答を受信しない（ステップＳ７６；Ｎｏ）。このため、ＣＰＵ２１６ａは、第２アドレス「1」が使用されていないと判別する。
【０１８９】
次に、ＣＰＵ２１６ａは、ステップＳ７３から上記処理を繰り返す。その後、第２アドレス「11」が調査対象とされ（ステップＳ７４）、第２アドレス「11」を宛先としたリクエストが転送部２１７へ出力される（ステップＳ７５）。
【０１９０】
転送部２１７は、リクエストの宛先に基づき、リクエストを内外伝送線ＩＬに送信した後に、内外伝送線ＩＬから室内機３１１の応答を受信する（ステップＳ７６；Ｙｅｓ）。その後、転送部２１７は、室内機３１１の応答を中継部２１６へ転送する。
【０１９１】
中継部２１６のＣＰＵ２１６ａは、室内機３１１の応答が転送されると、室内機３１１に対して、割り当て済みの第１アドレス「XX:XX:XX:YY:00:01」、「XX:XX:XX:YY:00:10」、「XX:XX:XX:YY:00:30」、及び、「XX:XX:XX:YY:00:50」と異なる仮想の第１アドレス「XX:XX:XX:YY:00:11」を割り当てる（ステップＳ７７）。
【０１９２】
その後、ＣＰＵ２１６ａは、室内機３１１の仮想の第１アドレス「XX:XX:XX:YY:00:11」と、室内機３１１の現実の第２アドレス「11」と、を対応付けたデータであるアドレス対応データを生成する。次に、ＣＰＵ２１６ａは、フラッシュメモリ２１６ｃが記憶する、図２１に示すようなアドレス変換テーブルに、仮想の第１アドレス「XX:XX:XX:YY:00:11」と、現実の第２アドレス「11」と、が対応付けられたアドレス対応データを保存する（ステップＳ７８）。
【０１９３】
次に、ＣＰＵ２１６ａは、アドレス対応データに対して、制御装置１００の第１アドレスを宛先として追加した後に、アドレス対応データを、図９の第１通信回路２１６ｅへ出力する（ステップＳ７９）。その後、第１通信回路２１６ｅが、アドレス対応データを第１集中伝送線ＣＬ１へ送信した後に、ＣＰＵ２１６ａは、ステップＳ７３に戻り上記処理を繰り返す。
【０１９４】
その後、第２アドレス「12」が調査対象とされ（ステップＳ７４）、室内機３１２の仮想の第１アドレス「XX:XX:XX:YY:00:12」と現実の第２アドレス「12」と、を対応付けたアドレス対応データの保存及び出力が行われる（ステップＳ７５からＳ７９）。
【０１９５】
その後、ＣＰＵ２１６ａは、ステップＳ７３に戻り上記処理を繰り返した後に、第２アドレス「20」を調査対象とする（ステップＳ７４）。その後、ＣＰＵ２１６ａは、第２室外機２２０に仮想の第１アドレス「XX:XX:XX:YY:00:20」を割り当て、仮想の第１アドレス「XX:XX:XX:YY:00:20」と現実の第２アドレス「20」と、を対応付けたアドレス対応データの保存及び出力を行う（ステップＳ７５からＳ７９）。
【０１９６】
その後、同様に、ＣＰＵ２１６ａは、室内機３２１及び２２２、並びに、第４室外機２４０に仮想の第１アドレスを割り当て、割り当てた仮想の第１アドレスと現実の第２アドレスと、を対応付けたアドレス対応データの保存及び出力を行う（ステップＳ７３からＳ７９）。
【０１９７】
その後、ステップＳ７３において、ＣＰＵ２１６ａは、未調査の第２アドレスが存在しないと判別すると（ステップＳ７３；Ｎｏ）、アドレス割当処理の実行を終了する。
【０１９８】
図２に示した制御装置１００の通信回路１０５が、図２０のステップＳ７９において出力されたアドレス対応データを、転送室外機である第１室外機２１０から受信すると、制御装置１００のＣＰＵ１０１は、通信回路１０５からアドレス対応データを取得し、取得したアドレス対応データをフラッシュメモリ１０３に保存する。
【０１９９】
次に、制御装置１００による第２室外機２２０の制御について説明する。制御装置１００のＣＰＵ１０１は、第２室外機２２０を制御するため、図６の制御処理を実行する。制御処理の実行を開始すると、制御装置１００のＣＰＵ１０１は、第２室外機２２０の仮想の第１アドレスをフラッシュメモリ１０３から読み出す。次に、制御装置１００のＣＰＵ１０１は、第２室外機２２０の仮想の第１アドレスを含んだリクエストを通信回路１０５に出力する（ステップＳ１１）。
【０２００】
その後、図６のステップＳ１２及びＳ１３の処理を実行することで、制御装置１００のＣＰＵ１０１は、第２室外機２２０の制御内容を決定する（ステップＳ１２及びＳ１３）。次に、ＣＰＵ１０１は、決定された制御内容を表し、第２室外機２２０の仮想の第１アドレスを含んだ制御データを通信回路１０５に出力する（ステップＳ１４）。
【０２０１】
通信回路１０５がリクエスト又は制御データを第１集中伝送線ＣＬ１に送信した後に、図９に示した転送室外機である第１室外機２１０が備える中継部２１６の第１通信回路２１６ｅは、リクエスト又は制御データを第１集中伝送線ＣＬ１から受信する。その後、中継部２１６のＣＰＵ２１６ａは、図２２に示すような第１中継処理の実行を開始する。
【０２０２】
第１中継処理の実行を開始すると、中継部２１６のＣＰＵ２１６ａは、図１１のステップＳ２１と同様に、第１通信回路２１６ｅから中継対象のデータであるリクエスト又は制御データを取得する（ステップＳ８１）。次に、ＣＰＵ２１６ａは、図２１のアドレス変換テーブルに保存された仮想の第１アドレスが中継対象のデータに含まれていると判別する（ステップＳ２２；Ｙｅｓ）。
【０２０３】
次に、ＣＰＵ２１６ａは、図１１のステップＳ２３と同様に、第１プロトコルに従った中継対象のデータのフォーマットを、第２プロトコルに従ったフォーマットに変換する（ステップＳ８３）。その後、ＣＰＵ２１６ａは、図２１のアドレス変換テーブルから、中継対象のデータに含まれた仮想の第１アドレスと対応付けられた現実の第２アドレスを取得する（ステップＳ８４）。
【０２０４】
その後、中継部２１６のＣＰＵ２１６ａは、中継対象のデータの宛先を、第２室外機２２０の現実の第２アドレスとした後に（ステップＳ８５）、図９のコネクタ２１６ｎに接続された転送部２１７へ、中継対象のデータを第２プロトコルに従って送信した後に（ステップＳ８６）、第１中継処理の実行を終了する。
【０２０５】
尚、中継部２１６の第１通信回路２１６ｅが、第１室外機２１０の現実の第１アドレスを含むリクエスト又は制御データを受信した場合、中継部２１６のＣＰＵ２１６ａは、ステップＳ８２において、中継対象のデータに仮想の第１アドレスが含まれていないと判別する（ステップＳ８２；Ｎｏ）。その後、ＣＰＵ２１６ａは、図１１のステップＳ２６と同様に、図７に示した制御基板２１９へ中継対象のデータを出力した後に、第１中継処理の実行を終了する。
【０２０６】
転送部２１７は、図１４のステップＳ３１からＳ３６の処理を実行することで、中継部２１６から受信したリクエスト又は制御データを、宛先である現実の第２アドレスに基づいて、第２室外機２２０が接続された第２集中伝送線ＣＬ２へ送信する。
【０２０７】
制御装置１００による第４室外機２４０の制御は、制御装置１００による第２室外機２２０の制御と同様である。
【０２０８】
次に、制御装置１００による室内機３１１の制御について説明する。制御装置１００は、室内機３１１の仮想の第１アドレスを含んだリクエスト及び制御データを、第１集中伝送線ＣＬ１へ送信する。第１室外機２１０は、室内機３１１の仮想の第１アドレスを含んだリクエスト及び制御データを第１集中伝送線ＣＬ１から受信し、リクエスト及び制御データの宛先を室内機３１１の現実の第２アドレスとし、宛先に基づいてリクエスト及び制御データを、室内機３１１が接続された内外伝送線ＩＬへ送信する。
【０２０９】
制御装置１００による室内機３１２の制御は、制御装置１００による室内機３１１の制御と同様である。
【０２１０】
次に、制御装置１００による室内機３２１の制御について説明する。制御装置１００は、室内機３２１を制御する場合に、室内機３２１の仮想の第１アドレスを含んだリクエスト及び制御データを、第１集中伝送線ＣＬ１へ送信する。第１室外機２１０は、室内機３２１の仮想の第１アドレスを含んだリクエスト及び制御データを第１集中伝送線ＣＬ１から受信し、リクエスト及び制御データの宛先を室内機３２１の現実の第２アドレスとし、宛先に基づいて第２集中伝送線ＣＬ２へリクエスト及び制御データを送信する。第２室外機２２０は、室内機３２１の現実の第２アドレスを宛先とするリクエスト及び制御データを第２集中伝送線ＣＬ２から受信し、宛先に基づいてリクエスト及び制御データを、室内機３２１が接続された内外伝送線ＩＬへ送信する。
【０２１１】
制御装置１００による室内機３２２の制御は、制御装置１００による室内機３２１の制御と同様である。
【０２１２】
これらの構成によれば、制御装置１００は、第１集中伝送線ＣＬ１に接続されていない第２室外機２２０を制御する場合に、第１集中伝送線ＣＬ１で通信に用いられる第１プロトコルに従って第２室外機２２０に割り当てられた仮想の第１アドレスを含む制御データを、第１集中伝送線ＣＬ１に送信する。転送室外機である第１室外機２１０は、第２室外機２２０の仮想の第１アドレスを含む制御データを第１集中伝送線ＣＬ１から受信すると、制御データの宛先を第２室外機２２０の現実の第２アドレスとしてから、第２室外機２２０が接続された第２集中伝送線ＣＬ２に制御データを転送する。このため、第２集中伝送線ＣＬ２で通信に用いられる第２プロトコルが変更されたり、第２室外機２２０の現実の第２アドレスが変更されても、制御装置１００は、第２プロトコルの変更、及び、第２室外機２２０に設定された第２アドレスの変更に影響を受けずに、又は、従来よりも少ない影響しか受けずに、第２室外機２２０を制御できる。
【０２１３】
（実施の形態３の変形例）
実施の形態３では、転送室外機である第１室外機２１０が備える中継部２１６が、図２０に示したアドレス割当処理を実行することで、第１集中伝送線ＣＬ１に接続されていない室内機３１１、３１２、３２１、及び、３２２、並びに、第２室外機２２０及び第４室外機２４０に対して仮想の第１アドレスを割り当てると説明した。
【０２１４】
しかし、これに限定される訳ではなく、図２０に示したアドレス割当処理を、制御装置１００が実行しても良い。また、制御装置１００は、アドレス割当処理によって割り当てられた室内機３１１の仮想の第１アドレスと、室内機３１１の現実の第２アドレスと、が対応付けられたアドレス対応データを、転送室外機である第１室外機２１０に通知しても良い。同様に、制御装置１００は、室内機３１２、３２１、及び、３２２、並びに、第２室外機２２０及び第４室外機２４０のアドレス対応データを第１室外機２１０に通知しても良い。
【０２１５】
第１室外機２１０の中継部２１６は、通知されたアドレス対応データを、図２１のアドレス変換テーブルに保存しても良い。また、第１室外機２１０の中継部２１６は、室内機３１１、３１２、３２１、又は、３２２、若しくは、第２室外機２２０又は第４室外機２４０の仮想の第１アドレスを含む制御データを受信すると、仮想の第１アドレスに対応付けられた現実の第２アドレスを、アドレス変換テーブルから取得しても良い。その後、第１室外機２１０の中継部２１６は、制御データの宛先を現実の第２アドレスとしてから、第２集中伝送線ＣＬ２又は内外伝送線ＩＬへ制御データを転送しても良い。
【０２１６】
これらの構成によれば、第１室外機２１０の中継部２１６ではなく、制御装置１００がアドレス割当処理を実行する。このため、中継部２１６のＣＰＵ２１６ａが実行する処理量、及び、処理の実行時にワークエリアとして機能するＲＡＭ２１６ｄの記憶容量を従来よりも少なくできるため、中継部２１６の製造コストを従来よりも削減できる。
【０２１７】
本発明の実施の形態１から３、実施の形態１の変形例１から１０、並びに、実施の形態３の変形例は、互いに組み合わせることができる。
【０２１８】
本発明の実施の形態１から３、実施の形態１の変形例１から１０、並びに、実施の形態３の変形例のいずれかに係る機能を実現するための構成を予め備えた制御装置１００として提供できる。また、プログラムの適用により、既存の制御装置１００を本発明の実施の形態１から３、実施の形態１の変形例１から１０、並びに、実施の形態３の変形例のいずれかに係る制御装置１００として機能させることもできる。すなわち、本発明の実施の形態１から３、実施の形態１の変形例１から１０、並びに、実施の形態３の変形例のいずれかで例示した制御装置１００による各機能構成を実現させるためのプログラムを、既存の制御装置を制御するコンピュータ（ＣＰＵなど）が実行することで、本発明の実施の形態１から３、実施の形態１の変形例１から１０、並びに、実施の形態３の変形例のいずれかに係る制御装置１００として機能させることができる。
【０２１９】
このようなプログラムの配布方法は任意であり、例えば、メモリカード、ＣＤ−ＲＯＭ（Compact Disc Read Only Memory）、又は、ＤＶＤ−ＲＯＭ（Digital Versatile Disk Read Only Memory）などの記録媒体に格納して配布できる他、インターネットなどの通信媒体を介して配布することもできる。尚、空調通信方法は、空調通信システム１を用いて実施できる。
【０２２０】
また、本発明は、本発明の広義の精神と範囲を逸脱することなく、様々な実施の形態及び変形が可能とされるものである。また、上述した実施の形態は、本発明を説明するためのものであり、本発明の範囲を限定するものではない。つまり、本発明の範囲は、実施の形態ではなく、請求の範囲によって示される。そして、請求の範囲内及びそれと同等の発明の範囲内で施される様々な変形が、本発明の範囲内とみなされる。
【産業上の利用可能性】
【０２２１】
本発明は、制御装置と室内機又は室外機とで通信を行う空調通信システムに適する。
【符号の説明】
【０２２２】
１  空調通信システム、１００  制御装置、１０１、２１６ａ、２１７ａ、２１９ａ、３１１ａ  ＣＰＵ、１０２、２１６ｂ、２１７ｂ、２１９ｂ、３１１ｂ  ＲＯＭ、１０３、２１６ｃ、２１７ｃ、２１９ｃ、３１１ｃ  フラッシュメモリ、１０４、２１６ｄ、２１７ｄ、２１９ｄ、３１１ｄ  ＲＡＭ、１０５  通信回路、１０６  ビデオカード、１０７  ＬＣＤ、１０８  タッチパネル、１１０  選択部、１２０  取得部、１３０  制御部、１４０  付与部、１５０  調査部、１９０  情報記憶部、２１０  第１室外機、２１１、２２１  圧縮機、２１２、２２２、３１１ｐ  温度センサ、２１６  中継部、２１６ｅ  第１通信回路、２１６ｌ、２１７ｍ  接続端子、２１６ｎ、２１７ｎ  コネクタ、２１７、２２７  転送部、２１７ｆ、３１１ｆ  第２通信回路、２１７ｇ  内外通信回路、２１７ｏ  スイッチ、２１９、２２９  制御基板、２１９ｊ  第１入出力ポート、２１９ｋ  第２入出力ポート、２１９ｌ  第１バススロット、２１９ｍ  第２バススロット、２２０  第２室外機、２３０  第３室外機、２４０  第４室外機、２５０  第５室外機、３１１、３１２、３２１、３２２、３５１  室内機、３１１ｑ  モータ、ＣＢ  ケーブル、ＣＬ１  第１集中伝送線、ＣＬ２  第２集中伝送線、ＨＢ  ハブ、ＩＬ  内外伝送線
【図１】
2019186619.tif 000003
【図２】
2019186619.tif 000004
【図３】
2019186619.tif 000005
【図４】
2019186619.tif 000006
【図５】
2019186619.tif 000007
【図６】
2019186619.tif 000008
【図７】
2019186619.tif 000009
【図８】
2019186619.tif 000010
【図９】
2019186619.tif 000011
【図１０】
2019186619.tif 000012
【図１１】
2019186619.tif 000013
【図１２】
2019186619.tif 000014
【図１３】
2019186619.tif 000015
【図１４】
2019186619.tif 000016
【図１５】
2019186619.tif 000017
【図１６】
2019186619.tif 000018
【図１７】
2019186619.tif 000019
【図１８】
2019186619.tif 000020
【図１９】
2019186619.tif 000021
【図２０】
2019186619.tif 000022
【図２１】
2019186619.tif 000023
【図２２】
2019186619.tif 000024
【手続補正書】
【提出日】令和2年3月6日(2020.3.6)
【手続補正１】
【補正対象書類名】明細書
【補正対象項目名】０００６
【補正方法】変更
【補正の内容】
【０００６】
上記目的を達成するため、本発明に係る空調通信システムは、
第１室外機と、第２室外機と、前記第１室外機及び前記第２室外機を制御する制御装置と、を備える空調通信システムであって、
前記第１室外機は、第１集中伝送線を介して前記制御装置に接続され、かつ、第２集中伝送線を介して前記第２室外機に接続され、
前記制御装置は、前記第２室外機と通信されるデータを、第１プロトコルに従って、前記第１集中伝送線に送信し、
前記第１室外機は、前記制御装置から送信された前記データを受信し、前記第１プロトコルと通信の信頼性が異なる第２プロトコルに従って前記データを前記第２集中伝送線に転送し、
前記第２室外機は、前記第１室外機が前記第２集中伝送線に転送した前記データを、前記第２プロトコルに従って受信する。
【手続補正２】
【補正対象書類名】特許請求の範囲
【補正対象項目名】全文
【補正方法】変更
【補正の内容】
【特許請求の範囲】
【請求項１】
第１室外機と、第２室外機と、前記第１室外機及び前記第２室外機を制御する制御装置と、を備える空調通信システムであって、
前記第１室外機は、第１集中伝送線を介して前記制御装置に接続され、かつ、第２集中伝送線を介して前記第２室外機に接続され、
前記制御装置は、前記第２室外機と通信されるデータを、第１プロトコルに従って、前記第１集中伝送線に送信し、
前記第１室外機は、前記制御装置から送信された前記データを受信し、前記第１プロトコルと通信の信頼性が異なる第２プロトコルに従って前記データを前記第２集中伝送線に転送し、
前記第２室外機は、前記第１室外機が前記第２集中伝送線に転送した前記データを、前記第２プロトコルに従って受信する、
空調通信システム。
【請求項２】
前記第１室外機は、内外伝送線を介して室内機にさらに接続され、
前記データは、前記第２室外機のアドレスと、前記第２室外機に接続された前記第１室外機のアドレスと、を含み、
前記制御装置は、前記データを、前記第１室外機が通信に用いる前記第１プロトコルに従って、前記第１集中伝送線に送信する通信手段を備え、
前記第１室外機は、
前記制御装置の前記通信手段から前記第１室外機の前記アドレスを含んだ前記データを受信し、前記データの宛先を前記データに含まれた前記第２室外機の前記アドレスに変換してから、前記第２プロトコルに従って前記データを送信する中継手段と、
前記中継手段が送信した前記データを受信し、前記第１室外機に接続された前記第２集中伝送線及び前記内外伝送線の内で、前記宛先に基づいて前記データの転送先と決定される前記第２集中伝送線に、前記データを転送する転送手段と、を備え、
前記第２室外機は、前記転送手段が前記第２集中伝送線に転送した前記データを、前記第２プロトコルに従って受信する通信手段を備える、
請求項１に記載の空調通信システム。
【請求項３】
前記第２室外機の前記通信手段は、前記第１プロトコルに従って前記制御装置に割り当てられた現実のアドレスと異なる、前記第２プロトコルに従った前記制御装置の仮想のアドレスを宛先として、前記制御装置と通信されるデータを、前記第２プロトコルに従って前記第２集中伝送線へ送信し、
前記第１室外機の前記転送手段は、前記第２集中伝送線から前記データを受信し、前記宛先に基づいて前記データを前記中継手段へ転送し、
前記第１室外機の前記中継手段は、前記中継手段が転送した前記データを前記第２プロトコルに従って受信し、前記仮想のアドレスである前記データの前記宛先を前記現実のアドレスに変換した後に、前記データを前記第１集中伝送線に前記第１プロトコルに従って送信し、
前記制御装置の前記通信手段は、前記中継手段が前記第１集中伝送線に送信した前記データを受信する、
請求項２に記載の空調通信システム。
【請求項４】
前記制御装置の前記通信手段は、前記室内機と通信されるデータであって、前記室内機のアドレスと、前記室内機に接続された前記第１室外機のアドレスと、を含んだデータを、前記第１プロトコルに従って、前記第１集中伝送線に送信し、
前記第１室外機の前記中継手段は、前記制御装置の前記通信手段から前記第１室外機の前記アドレスを含んだ前記データを受信し、前記データに含まれた前記室内機の前記アドレスを宛先として、前記第２プロトコルに従って前記データを送信し、
前記第１室外機の前記転送手段は、前記中継手段が送信した前記データを受信し、前記宛先に基づいて前記内外伝送線に前記データを転送し、
前記室内機は、前記転送手段が前記内外伝送線に転送した前記データを、前記第２プロトコルに従って受信する通信手段を備える、
請求項３に記載の空調通信システム。
【請求項５】
前記室内機の前記通信手段は、前記制御装置と通信されるデータを、前記制御装置の前記仮想のアドレスを宛先として、前記第２プロトコルに従って前記内外伝送線へ送信し、
前記第１室外機の前記転送手段は、前記内外伝送線から前記データを受信し、前記宛先に基づいて前記データを前記中継手段へ転送する、
請求項４に記載の空調通信システム。
【請求項６】
前記第１集中伝送線を介して前記制御装置に接続され、かつ、前記第２集中伝送線を介して前記第２室外機に接続された第３室外機をさらに備え、
前記第３室外機は、前記中継手段と前記転送手段とを備え、
前記制御装置は、前記第１室外機及び前記第３室外機の内で、前記仮想のアドレスを前記宛先とする前記データの転送を実行させる転送室外機を選択する選択手段をさらに備える、
請求項３から５のいずれか一項に記載の空調通信システム。
【請求項７】
前記中継手段は、前記転送手段と着脱可能に接続される、
請求項２から６のいずれか一項に記載の空調通信システム。
【請求項８】
第１集中伝送線を介して制御装置に接続された室外機であって、
第２集中伝送線を介して前記室外機である第１室外機と異なる第２室外機に接続され、
前記第２室外機と通信されるデータを、第１プロトコルに従って、前記第１集中伝送線から受信し、前記第１プロトコルと通信の信頼性が異なる第２プロトコルに従って前記データを送信する中継手段と、
前記中継手段が送信した前記データを受信し、前記第２集中伝送線に、前記データを転送する転送手段と、を備える、
室外機。
【請求項９】
内外伝送線を介して室内機にさらに接続され、
前記データは、前記第２室外機のアドレスと、前記第２室外機に接続された前記第１室外機のアドレスと、を含み、
前記中継手段は、前記データを、前記制御装置が通信に用いる前記第１プロトコルに従って、前記第１集中伝送線から受信し、前記データの宛先を前記データに含まれた前記第２室外機の前記アドレスに変換してから、前記第２プロトコルに従って前記データを送信し、
前記転送手段は、前記中継手段が送信した前記データを受信し、前記第１室外機に接続された前記第２集中伝送線及び前記内外伝送線の内で、前記宛先に基づいて前記データの転送先と決定される前記第２集中伝送線に、前記データを転送する、
請求項８に記載の室外機。
【請求項１０】
第１室外機と、第２室外機と、前記第１室外機及び前記第２室外機を制御する制御装置と、を備える空調通信システムが実行する方法であって、
前記第１室外機は、第１集中伝送線を介して前記制御装置に接続され、かつ、第２集中伝送線を介して前記第２室外機に接続され、
前記制御装置が、前記第２室外機と通信されるデータを、第１プロトコルに従って、前記第１集中伝送線に送信するステップと、
前記第１室外機が、前記制御装置から送信された前記データを受信し、前記第１プロトコルと通信の信頼性が異なる第２プロトコルに従って前記データを前記第２集中伝送線に転送するステップと、
前記第２室外機が、前記第２集中伝送線に転送された前記データを、前記第２プロトコルに従って受信するステップと、を有する、
空調通信方法。
【請求項１１】
第１集中伝送線を介して制御装置に接続された第１室外機が実行する方法であって、
前記第１室外機は、第２集中伝送線を介して前記第１室外機と異なる第２室外機に接続され、
前記第１室外機が、前記第２室外機と通信されるデータを、第１プロトコルに従って、前記第１集中伝送線から受信し、前記第１プロトコルと通信の信頼性が異なる第２プロトコルに従って前記データを送信するステップと、
前記第１室外機が、前記送信された前記データを受信し、前記第２集中伝送線に、前記データを転送するステップと、を有する、
空調通信方法。
【請求項１２】
第１室外機及び第２室外機を制御する制御装置に第１集中伝送線を介して接続され、かつ、第２集中伝送線を介して前記第２室外機に接続された前記第１室外機のコンピュータを、
前記第２室外機と通信されるデータを、第１プロトコルに従って、前記第１集中伝送線から受信し、前記第１プロトコルと通信の信頼性が異なる第２プロトコルに従って前記データを送信する中継手段、として機能させる、
プログラム。
【請求項１３】
前記データは、前記第２室外機のアドレスと、前記第２室外機に接続された前記第１室外機のアドレスと、を含み、
前記中継手段は、前記データを、前記第１室外機が通信に用いる前記第１プロトコルに従って、前記第１集中伝送線から受信し、前記データの宛先を前記データに含まれた前記第２室外機の前記アドレスに変換してから、前記第２プロトコルに従って前記データを送信する、
請求項１２に記載のプログラム。
【国際調査報告】
2019186619.tif 000025
2019186619.tif 000026
2019186619.tif 000027
2019186619.tif 000028
2019186619.tif 000029
2019186619.tif 000030